(57)【要約】【課題】マルチチャネル通信システムにおけるデータ伝送のための伝送モード選択【解決手段】複数の伝送チャネルが様々なＳＮＲを有する、マルチチャネル通信システムにおけるデータ伝送に適した伝送モードを選択するための技法。１つの方法では、データストリームを送信するために使用される複数の伝送チャネルのそれぞれにＳＮＲ推定値が初期に取得される。次に前記複数の伝送チャネルの前記ＳＮＲ推定値のために平均ＳＮＲ及び不偏分散が計算される。バックオフ係数は、例えば前記ＳＮＲ分散及びスケーリングファクタに基づいて決定される。次に、前記平均ＳＮＲ及び前記バックオフ係数に基づいて伝送チャネルのための動作ＳＮＲが計算される。それから、前記動作ＳＮＲに基づいてデータストリームのために伝送モードが選択される。前記選択された伝送モードは、前記動作ＳＮＲ未満であるか、あるいは前記動作ＳＮＲに等しい最高必須ＳＮＲと関連付けられる。前記方法は様々なＳＮＲを有する複数の伝送チャネルのある任意のシステムに使用されてよい。
2006521068.tif 000002
【特許請求の範囲】
【請求項１】
マルチチャネル通信システムにおけるデータ伝送のための伝送モードを決定する方法であって、
前記データ伝送に使用される複数の伝送チャネルのそれぞれに信号対雑音比（ＳＮＲ）推定値を取得し、
前記複数の伝送チャネルのためのＳＮＲ推定値に基づいて平均ＳＮＲを計算することと、
バックオフ係数を決定し、
前記平均ＳＮＲと前記バックオフ係数に基づいて前記データ伝送のための前記伝送モードを決定する
ことを具備する方法。
【請求項２】
前記ＳＮＲ推定値及び平均ＳＮＲはデシベル単位である請求項１記載の方法。
【請求項３】
前記データ伝送のための前記伝送モードは、前記データ伝送に使用するための特定のデータレート、特定の符号化方式及び特定の変調方式を示す請求項１記載の方法。
【請求項４】
前記平均ＳＮＲと前記バックオフ係数に基づいて動作ＳＮＲを計算することをさらに含み、前記データ伝送のための前記伝送モードは前記動作ＳＮＲ未満である、又は前記動作ＳＮＲに等しい必須ＳＮＲに関連付けられる請求項１記載の方法。
【請求項５】
前記伝送モードのための前記必須ＳＮＲは、相加性白色ガウス雑音（ＡＷＧＮ）通信路に基づいて決定される請求項４記載の方法。
【請求項６】
伝送モードの集合が前記マルチチャネル通信システムによりサポートされ、前記データ伝送のための前記伝送モードは前記動作ＳＮＲ未満である、又は前記動作ＳＮＲに等しい最高の必須ＳＮＲと関連付けられる請求項４記載の方法。
【請求項７】
前記複数の伝送チャネルのための前記ＳＮＲ推定値の分散を計算することをさらに含み、前記バックオフ係数は前記分散に基づいて決定される請求項１記載の方法。
【請求項８】
前記バックオフ係数は、前記ＳＮＲ推定値の前記分散をスケーリングファクタで乗算することにより取得される値に等しい請求項７記載の方法。
【請求項９】
前記スケーリングファクタは、前記マルチチャネル通信システムの１つ以上の特性に基づいて選択される請求項８記載の方法。
【請求項１０】
前記１つ以上の特性は、前記データ伝送に使用されるインタリーブ、パケットサイズ、符号化方式の種類、又はその組み合わせに関連する請求項９記載の方法。
【請求項１１】
前記バックオフ係数は前記平均ＳＮＲに基づいてさらに決定される請求項７記載の方法。
【請求項１２】
前記バックオフ係数は前記平均ＳＮＲに基づいて決定される請求項１記載の方法。
【請求項１３】
前記バックオフ係数は固定値である請求項１記載の方法。
【請求項１４】
前記マルチチャネル通信システムは直交周波数分割多元（ＯＦＤＭ）通信システムであり、前記複数の伝送チャネルは複数のサブバンドに相当する請求項１記載の方法。
【請求項１５】
前記マルチチャネル通信システムは多入力多出力（ＭＩＭＯ）通信システムであり、前記複数の伝送チャネルは複数の空間通信路に相当する請求項１記載の方法。
【請求項１６】
前記マルチチャネル通信システムは、直交周波数分割多重化（ＯＦＤＭ）を活用する多入力多出力（ＭＩＭＯ）通信システムである請求項１記載の方法。
【請求項１７】
前記複数の伝送チャネルは少なくとも１つの空間通信路の複数のサブバンドに相当する請求項１６記載の方法。
【請求項１８】
前記複数の伝送チャネルは少なくとも１本の送信アンテナの複数のサブバンドに相当する請求項１６記載の方法。
【請求項１９】
前記複数の伝送チャネルは複数の送信アンテナの複数のサブバンドで対応する請求項１６記載の方法。
【請求項２０】
データ伝送に使用される複数の伝送チャネルのそれぞれのための信号対雑音比（ＳＮＲ）推定値を取得するための手段と、
前記複数の伝送チャネルのためのＳＮＲ推定値に基づいて平均ＳＮＲを計算するための手段と、
バックオフ係数を決定するための手段と、
前記平均ＳＮＲと前記バックオフ係数に基づいて前記データ伝送のための伝送モードを決定するための手段と、
を具備するマルチチャネル通信システムにおける装置。
【請求項２１】
前記平均ＳＮＲと前記バックオフ係数に基づいて動作ＳＮＲを計算するための手段をさらに備え、前記データ伝送のための前記伝送モードが前記動作ＳＮＲ未満である、又は前記動作ＳＮＲに等しい必須ＳＮＲと関連付けられる請求項２０記載の装置。
【請求項２２】
前記複数の伝送チャネルのための前記ＳＮＲ推定値の分散を計算するための手段とをさらに備え、前記バックオフ係数は前記分散に基づいて決定される請求項２０記載の装置。
【請求項２３】
前記バックオフ係数はスケーリングファクタに基づいて決定される請求項２２記載の装置。
【請求項２４】
前記マルチチャネル通信システムによってサポートされる伝送モードのセット、及び前記セットの中の前記伝送モードのそれぞれのための必須ＳＮＲを記憶するための手段をさらに備える請求項２０記載の装置。
【請求項２５】
データ伝送に使用される複数の伝送チャネルに通信路推定値を提供するために動作している通信路推定器と、
前記通信路推定器に基づいて前記複数の伝送チャネルのそれぞれのための信号対雑音比（ＳＮＲ）推定値を取得し、前記複数の伝送チャネルのためのＳＮＲ推定値に基づいて平均ＳＮＲを計算し、バックオフ係数を決定し、前記平均ＳＮＲと前記バックオフ係数に基づいて前記データ伝送のための伝送モードを決定するために動作しているコントローラと、
を具備するマルチチャネル通信システムにおける受信機装置。
【請求項２６】
前記コントローラは、前記複数の伝送チャネルの前記ＳＮＲ推定値の分散を計算するためにさらに動作し、前記バックオフ係数は前記分散に基づいて決定される請求項２５記載の受信機装置。
【請求項２７】
前記バックオフ係数はスケーリングファクタに基づいてさらに決定される請求項２６記載の受信機装置。
【請求項２８】
前記マルチチャネル通信システムによってサポートされる伝送モードのセット、及び前記セットの中の前記伝送モードのそれぞれの必須ＳＮＲを記憶するために動作しているメモリ装置をさらに具備する請求項２５記載の受信機装置。
【請求項２９】
データ伝送に使用される複数の伝送チャネルのそれぞれのための信号対雑音比（ＳＮＲ）推定値を取得するための符号と、
前記複数の伝送チャネルのためのＳＮＲ推定値に基づいて平均ＳＮＲを計算するための符号と、
バックオフ係数を決定するための符号と、
前記平均ＳＮＲと前記バックオフ係数に基づいて前記データ伝送のための伝送モードを決定するための符号と、
前記符号を記憶するように構成されるコンピュータ使用可能媒体と、
を具備する製造品。
【請求項３０】
前記複数の伝送チャネルのための前記ＳＮＲ推定値の分散を計算するための符号をさらに備え、前記バックオフ係数は前記分散に基づいて決定される請求項２９記載の製品。
【請求項３１】
前記バックオフ係数はさらにスケーリングファクタに基づいて決定される請求項３０記載の製品。
【請求項３２】
マルチチャネル通信システムにおけるデータ伝送のための伝送モードを決定する方法であって、
第１のデータストリームに使用される第１の複数の伝送チャネルのそれぞれのための信号対雑音比（ＳＮＲ）推定値を取得し、
前記第１の伝送チャネルのためのＳＮＲ推定値に基づいて第１の平均ＳＮＲと第１のＳＮＲ分散を計算し、
前記第１のＳＮＲ分散に基づいて第１のバックオフ係数を決定し、
前記第１の平均ＳＮＲと前記第１のバックオフ係数に基づいて前記第１のデータストリームのための第１の伝送モードを決定し、
第２のデータストリームに使用される第２の複数の伝送チャネルのそれぞれのためのＳＮＲ推定値を取得し、
前記第２の複数の伝送チャネルのためのＳＮＲ推定値に基づいて第２の平均ＳＮＲと第２のＳＮＲ分散を計算し、
前記第２のＳＮＲ分散に基づいて第２のバックオフ係数を決定し、
前記第２の平均ＳＮＲと前記第２のバックオフ係数に基づいて前記第２のデータストリームのための第２の伝送モードを決定する、
ことを具備する方法。
【請求項３３】
前記第１の複数の伝送チャネルは第１のアンテナ用であり、前記第２の複数の伝送チャネルは第２のアンテナ用である請求項３２記載の方法。
【請求項３４】
前記マルチチャネル通信システムは多入力多出力（ＭＩＭＯ）通信システムであり、前記第１の複数の伝送チャネルは第１の空間通信路用であり、前記第２の複数の伝送チャネルは第２の空間通信路用である請求項３２記載の方法。
【請求項３５】
マルチチャネル通信システムにおける伝送のためにデータを処理する方法であって、
複数の伝送チャネルでのデータ伝送に使用するための特定のデータレート、特定の符号化方式、及び特定の変調方式を示す伝送モードを取得し、前記伝送モードは平均信号対雑音比（ＳＮＲ）とバックオフ係数に基づいて選択され、前記平均ＳＮＲは前記複数の伝送チャネルのためのＳＮＲ推定値に基づいて計算され、
前記特定のデータレートでトラヒックデータを受信し、
符号化されたデータを提供するために前記特定の符号化方式で前記トラヒックデータを符号化し、
変調記号を提供するために前記特定の変調方式で前記符号化されたデータを変調する、
ことを具備する方法。
【請求項３６】
複数の伝送チャネルでのデータ伝送に使用するための特定のデータレート、特定の符号化方式及び特定の変調方式を示す伝送モードを取得するための手段であって、前記伝送モードは平均信号対雑音比（ＳＮＲ）とバックオフ係数に基づいて選択され、前記平均ＳＮＲは前記複数の伝送チャネルのためのＳＮＲ推定値に基づいて計算され、
前記特定のデータレートでトラヒックデータを受信するための手段と、
符号化されたデータを提供するために前記特定の符号化方式で前記トラヒックデータを符号化するための手段と、
変調記号を提供するために前記特定の変調方式で前記符号化されたデータを変調するための手段と、
を具備するマルチチャネル通信システムにおける装置。
【請求項３７】
特定のデータレートでトラヒックデータを受信し、符号化されたデータを提供するために特定の符号化方式で前記トラヒックデータを符号化し、変調記号を提供するために特定の変調方式で前記符号化されたデータを変調するための動作している送信データプロセッサを具備し、前記特定のデータレート、符号化方式、及び変調方式は複数の伝送チャネル上でのデータ伝送のために選択される伝送モードによって示され、前記伝送モードは平均信号対雑音比（ＳＮＲ）とバックオフ係数に基づいて選択され、前記平均ＳＮＲは前記複数の伝送チャネルのためのＳＮＲ推定値に基づいて計算される
マルチチャネル通信システムにおける送信機装置。
【発明の詳細な説明】
【技術分野】
【０００１】
本発明は概してデータ通信に関し、さらに詳細には、マルチチャネル通信システムにおけるデータ伝送に適切な伝送モードを選択するための技法に関する。
【背景技術】
【０００２】
マルチチャネル通信システムは、データ伝送のために複数の「伝送」チャネルを活用する。これらの伝送チャネルは、時間領域、周波数領域、空間領域、あるいはその組み合わせで形成されてよい。例えば、複数の伝送チャネルは時分割多重（ＴＤＭ）通信システムの異なるタイムスロットに、直交周波数分割多重（ＯＦＤＭ）通信システムにおける異なる周波数サブバンドに、あるいは多入力多出力伝送（ＭＩＭＯ）通信システムにおける異なる空間通信路に相当してよい。ＴＤＭシステム、ＯＦＤＭシステム及びＭＩＭＯシステムはさらに詳しく後述される。
【０００３】
マルチチャネル通信システムにおける複数の伝送チャネルは、様々な通信路状態（例えば、様々なフェージング、マルチパス、及び干渉の影響）を経験し、異なる信号対雑音及び干渉比（ＳＮＲ）を達成する可能性がある。伝送チャネルのＳＮＲが、通常前記伝送チャネルで確実に伝送できるある特定のデータレートによって数値で表されるその伝送能力を決定する。ＳＮＲが伝送チャネルごとに変化する場合には、サポートされるデータレートも通信路ごとに変化する。さらに、通信路状態は、通常、経時的に変化するので、伝送チャネルによりサポートされるデータレートも経時的に変化するであろう。
【０００４】
符号化された通信システムにおける主要な課題は、通信路状態に基づいてデータ伝送のために使用する適切な伝送モード（複数の場合がある）を選択することである。ここに使用されるように、「伝送モード」は、既定のデータ伝送のために使用するためのある特定のデータレート又は情報ビットレート、ある特定の符号化方式、ある特定の変調方式、あるいはその組み合わせを示してよい。伝送モード選択の目標は、ある特定のパケット誤り率（ＰＥＲ）により数値で表されてよい特定の品質目的を満たす一方で、複数の伝送チャネルでスループットを最大限にすることでなければならない。
【０００５】
１つの分かりやすい技法は、複数の伝送チャネルのそれぞれにそのＳＮＲに基づいてある特定の伝送モードを選択することである（つまり、伝送モード選択は各伝送チャネルをそのＳＮＲに従って「ビットロードする」ために伝送チャネル単位で行われる）。その結果、伝送チャネルごとのデータは、その伝送チャネルのために選択された伝送モードに関連付けられたデータレートで、及び符号化方式と変調方式を用いて送信されるであろう。しかしながら、この技法にはいくつかの重要な欠点がある。第１に、伝送チャネルごとの個々の符号化は送信機と受信機両方でのデータ処理の複雑さを大幅に高める可能性がある。第２に、伝送チャネルごとの個々の符号化は符号化と復号の遅延を大幅に増す可能性がある。第３に、通信路単位でデータを符号化し、変調するために送信機によって必要とされる情報（例えばＳＮＲ又は伝送モード）を伝送チャネルごとに送り返すためには高フィードバックレートが必要とされる可能性がある。
【０００６】
別の技法は、すべての伝送チャネルに１つの共通した伝送モードを使用することである。この技法は前記ビットロード技法の重要な欠点を回避する。しかしながら、データ伝送が様々なＳＮＲをもつ複数の伝送チャネルで送信される場合には、ＳＮＲは受信されるデータ伝送全体で相応して変化するであろう。その結果、課題は、その結果データ伝送が確実に受信できるように、変化するＳＮＲの観点からデータ伝送に使用するための適切な伝送モードを選択することである。選択された伝送モードのデータレートが高すぎる場合には、データ伝送全体が間違って受信されるであろう。逆に、選択された伝送モードのデータレートが低すぎる場合には、複数の伝送チャネルの伝送容量は十分に利用されていない。
【０００７】
したがって、当技術分野において、様々なＳＮＲを有する複数の伝送チャネルでのデータ伝送に適した伝送モードを決定する技法に対するニーズがある。
【発明の開示】
【０００８】
［発明の概要］
様々なＳＮＲを有する複数の伝送チャネルのあるマルチチャネル通信システムにおけるデータ伝送に適切な伝送モードを選択するための技法がここに示されている。適切なデータ伝送モードは独立して処理され（例えば符号化され、変調され）、伝送チャネルの指定されたグループで送信されるデータストリームごとに決定されてよい。
【０００９】
複数の伝送チャネルで送信されるデータストリームに適切な伝送モードを決定するある特定の方法においては、（例えば、ｄＢ単位の）ＳＮＲ推定値は、当初、そのデータストリームを送信するために使用される複数の伝送チャネルのそれぞれに得られる。次に、平均ＳＮＲ、γａｖｇが
【数１】
2006521068.tif 000003
【００１０】
として複数の伝送チャネルのためのＳＮＲ推定値について計算され、ここではγｉは伝送チャネルｉのＳＮＲ推定値であり、Ｎｃはデータ伝送のために使用される伝送チャネルの数である。ＳＮＲ推定値の分散、σ２γも
【数２】
2006521068.tif 000004
【００１１】
として計算される。次に、例えば平均ＳＮＲとＳＮＲ分散の関数Ｆ（γａｖｇ，σ２γ）に基づいてバックオフ係数γｂｏが決定される。例えば、関数Ｆ（γａｖｇ，σ２γ）＝Ｋb・σ２γは前記バックオフ係数のために使用されてよく、ここではＫｂは、例えばデータストリームに使用されるインタリーブ、パケットサイズ、及び／又は符号化方式のタイプなどのシステムの１つ以上の特性に基づいて選択されてよいスケーリングファクタである。次に伝送チャネルのための動作ＳＮＲ、γｏｐが、γｏｐ＝γａｖｇ−γｂｏとして平均ＳＮＲ及びバックオフ係数に基づいて計算される。それから、例えばサポートされている伝送モードとその必須ＳＮＲのルックアップテーブルを使用して、動作ＳＮＲに基づいてデータストリームのための伝送モードが選択される。選択された伝送モードは、データストリームを送信するために使用される複数の伝送チャネルのすべてに活用される。
【００１２】
伝送モードの集合は、システムによってサポートされてよく、性能の特定のレベル（例えば１％ＰＥＲ）を達成するために必要とされる最小ＳＮＲは、フェージングがない相加性白色ガウス雑音（ＡＷＧＮ）通信路に基づいてサポートされている伝送モードごとに決定されてよい。データストリームのために選択された伝送モードは、最高データレート、及び動作ＳＮＲ未満である又は動作ＳＮＲに等しい必須ＳＮＲのサポートされている伝送モードである。方法は、（すべてが後述される）ＴＤＭシステム、ＯＦＤＭシステム、ＭＩＭＯシステム及びＭＩＭＯ−ＯＦＤＭシステムなどの複数の伝送チャネルのある任意のシステムに使用されてよい。
【００１３】
ここに説明される伝送モード選択技法は、ＭＩＭＯ−ＯＦＤＭシステムの多様な伝送スキーム（方式）に使用されてよい。全アンテナ（ａｌｌ−ａｎｔｅｎｎａ）伝送方式の場合、全送信アンテナの全サブバンドで１つのデータストリームが送信される。このデータストリームのための伝送モードは、全送信アンテナの全サブバンドのためのＳＮＲ推定値に基づいて選択されてよい。アンテナ単位の伝送方式の場合、各送信アンテナの全サブバンドで１つのデータストリームが送信される。各データストリームのための伝送モードは、そのデータストリームに使用される送信アンテナのすべてのサブバンドのためのＳＮＲ推定値に基づいて選択されてよい。固有モード単位の伝送方式の場合、１つのデータストリームは（後述される）各広帯域固有モードの全サブバンドで送信される。データストリームごとの伝送モードはそのデータストリームのために使用される広帯域固有モードの全サブバンドのためのＳＮＲ推定値に基づいて選択されてよい。
【００１４】
本発明の多様な態様及び実施形態がさらに詳しく後述される。
【００１５】
本発明の特徴、性質及び優位点は、類似する参照文字が全体を通して相応して特定する図面とともに解釈されると、後述される詳細な説明からより明らかになるであろう。
【発明を実施するための最良の形態】
【００１６】
単語「例示的な」は、「例、事例、又は図解として役立つこと」を意味するためにここで使用される。ここに「例示的」として説明される任意の実施形態又は設計は、必ずしも他の実施形態又は設計に優って好ましい又は有利であると解釈されるべきではない。
【００１７】
ここに説明される伝送モード選択技法は、データ伝送に使用されてよい複数の伝送チャネルを有する各種のマルチチャネル通信システムに使用されてよい。例えば、これらの技法はＴＤＭシステム、ＯＦＤＭベースのシステム、ＭＩＭＯシステム、ＯＦＤＭを活用するＭＩＭＯシステム（つまり、ＭＩＭＯ−ＯＦＤＭシステム）等に使用されてよい。
【００１８】
ＴＤＭシステムは、それぞれがある特定の時間持続期間であってよいフレームでデータを送信してよい。各フレームは様々な指数を割り当てられてよい複数（ＮＴＳ個）のタイムスロットを含んでよい。ＮＴＳ個の伝送チャネルは各フレームのＮＴＳ個のタイムスロットのために形成されてよい。
【００１９】
ＯＦＤＭシステムは、事実上、全体的なシステム帯域幅を、トーン、ビン、及び周波数通信路とも呼ばれることがある複数（ＮＦ個）の直交サブバンドに分割する。各サブバンドはデータで変調されてよいそれぞれの搬送波と関連付けられる。ＮＦ個の伝送チャネルはＮＦ個のサブバンドのために形成されてよい。
【００２０】
ＭＩＭＯシステムは、データ伝送のために複数（ＮＴ本）の送信アンテナ及び複数（ＮＲ本）の受信アンテナを利用し、（ＮＴ，ＮＲ）システムと示される。ＮＴ本の送信アンテナとＮＲ本の受信アンテナによって形成されるＭＩＭＯ通信路(channel)はＮＳ個の独立した通信路に分解されてよく、ＮＳ≦最小｛ＮＴ，ＮＲ｝である。ＮＳ個の独立した通信路のそれぞれは、ＭＩＭＯ通信路の空間通信路又は固有モードとも呼ばれてよい。空間通信路の数はＮＴ本の送信アンテナとＮＲ本の受信アンテナの間の応答を説明する通信路応答行列Ｈによって決定される。簡単にするために、以下の説明では、通信路応答行列Ｈは最大階数であると仮定し、その場合空間通信路の数はＮＳ＝ＮＴ≦ＮＲとして示される。ＮＴ個の伝送チャネルはＮＴ個の空間通信路のために形成されてよい。
【００２１】
ＭＩＭＯ−ＯＦＤＭシステムは、ＮＦ個のサブバンドのそれぞれにＮＴ個の空間通信路を有する。伝送チャネルは各サブバンドの各空間通信路のために形成されてよい。ＮＦ・ＮＴ伝送チャネルは、ＮＴ本の送信アンテナとＮＲ本の受信アンテナ間のデータ伝送のために使用可能となるであろう。
【００２２】
一般的には、複数の伝送チャネルは、いくつかが前述される多様な方法で形成されてよい。各伝送チャネルは、その通信路の伝送能力を示す受信ＳＮＲと関連付けられている。既定の伝送チャネルの受信ＳＮＲは、例えばその伝送チャネルで送信されるパイロットに基づいて受信機によって推定されてよい。
【００２３】
図１は、マルチチャネル通信システム１００における送信機１１０と受信機１５０のブロック図である。送信機１１０では、トラヒックデータはデータソース１１２から、トラヒックデータを、ＮＤ≧１であるＮＤ個のデータストリームに逆多重化する送信（ＴＸ）データプロセッサ１１４に提供される。各データストリームは独立して処理され、伝送チャネルのそれぞれのグループで送信されてよい。各データストリームはそのデータストリームのパラメータ値の集合を示す特定の伝送モードと関連付けられている。例えば、データストリームごとの伝送モードは、そのデータストリームに使用するための特定のデータレート又は情報ビットレート、特定の符号化方式又は情報レート、特定のインタリーブ方式、特定の変調方式等を示してよい（あるいは関連付けられてよい）。既定の伝送モードの場合、データレートはその伝送モードに関連付けられる符号化方式及び変調方式によって決定されてよい。伝送モードの例示的な集合は表１に示されている。データストリームごとに、データレートはデータレート制御によって決定され、符号化方式は符号化制御によって決定され、変調方式は変調制御によって決定される。これらの制御はコントローラ１３０によって提供され、受信機１５０から受信されるフィードバック情報に基づいて生じる。
【００２４】
データストリームごとに、ＴＸデータプロセッサ１１４は、変調記号の対応するストリームを提供するために、そのデータストリームのために選択された符号化方式、インタリーブ方式及び変調方式に従ってデータを符号化し、インタリーブし、変調する。ＴＸデータプロセッサ１１４は、ＮＤ個のデータストリームにＮＤ個の変調記号ストリームを提供する。
【００２５】
送信機装置（ＴＭＴＲ）１１６は、次にシステムによって指定された方法でＮＤ個の変調記号ストリームを受信し、処理する。例えば、送信機装置１１６はＯＦＤＭシステムのためにＯＦＤＭ処理を、ＭＩＭＯシステムのために空間処理を、又はＭＩＭＯ−ＯＦＤＭシステムのために空間処理とＯＦＤＭ処理の両方を実行してよい。受信機が通信路推定、取得、周波数及びタイミング同期、コヒーレント復調等の多くの機能を実行するのを支援するためにパイロットも受信機１５０に送信されてよい。このケースでは、送信機装置１１６はパイロット記号を受信し、変調記号で多重化してよい。送信機装置１１６はデータ伝送に使用されるアンテナごとに変調済み信号を提供する。
【００２６】
各変調信号は次に無線通信リンク上でそれぞれの送信アンテナから受信機１５０に送信される。通信リンクはある特定の通信路応答で変調された信号を歪め、（１）Ｎ０という偏差を有する相加性白色ガウス雑音（ＡＷＧＮ）、及び（２）おそらく他の伝送ソースからの干渉で前記変調済み信号を悪化させる。
【００２７】
受信機１５０では、伝送された信号が各受信アンテナで受信され、各アンテナからの前記受信された信号は受信機装置（ＲＣＶＲ）１６０に提供される。受信機装置１６０は、サンプルの対応するストリームを提供するためにそれぞれの受信された信号を調整し、ディジタル化する。受信機装置１６０は、さらに、送信機１１０によって送信される変調記号のＮＤ個のストリームの推定値である「回復された」記号のＮＤ個のストリームを提供するために送信機装置１１６によって実行される方法に相補的である方法で前記サンプルを処理する。回復された記号ストリームは次に受信（ＲＸ）データプロセッサ１６２に提供され、送信されたデータストリームのための復号されたデータを取得するために処理される。ＲＸデータプロセッサ１６２による処理は復調（つまり、記号デマッピング）、デインタリービング、及び復号を含んでよい。ＲＸデータプロセッサ１６２は、さらにそれぞれの受信データパケットのステータスを提供してよい。
【００２８】
受信機装置１６０は、「受信済みの」記号（つまり、ＯＦＤＭ処理の後であるが、受信機装置１６０による空間処理の前の記号）及び／又は回復された記号を通信路推定器１６４に提供してもよい。通信路推定器１６４は、次にデータ伝送に使用される各伝送チャネルのためのＳＮＲ推定値を取得するためにこれらの記号を処理してよい。ＳＮＲ推定値は、通常受信パイロット記号に基づいて取得されるが、受信データ記号又は受信パイロット記号とデータ記号の組み合わせに基づいて取得されてもよい。伝送モードセレクタ１６６は通信路推定器１６４からＳＮＲ推定値を受け取り、ＮＤ個のデータストリームのそれぞれに適した伝送モードを決定する。
【００２９】
コントローラ１７０は伝送モードセレクタ１６６からＮＤ個の伝送モードを、ＲＸデータプロセッサ１６２からパケットステータスを受け取り、送信機１１０のためにフィードバック情報をアセンブルする。フィードバック情報は、ＮＤ個のデータストリームのためのＮＤ個の伝送モード、受信データパケットのための肯定応答（ＡＣＫ）と否定応答（ＮＡＫ）、及び／又は他の情報を含んでよい。フィードバック情報は次に送信機１１０に送信され、受信機１５０に送信されるＮＤ個のデータストリームの処理を調整するために使用される。例えば、送信機１１０は、受信機１５０に送信されるデータストリームごとに、データレート、符号化方式、変調方式、又はその任意の組み合わせを調整するためにフィードバック情報を使用してよい。フィードバック情報は、データを通信リンクによってサポートされる最善の既知の設定値で送信できるようにすることでシステムの効率を高めるために使用される。
【００３０】
図１に図示される実施形態では、伝送モード選択は受信機１５０により実行され、各データストリームに選択された伝送モードは送信機１１０に送り返される。他の実施形態では、伝送モード選択は（１）受信機により提供されるフィードバック情報及び／又は送信機により取得される他の情報に基づいて送信機によって、あるいは（２）送信機と受信機の両方によって共同で実行されてよい。
【００３１】
ＡＷＧＮ通信リンク（例えば、ＡＷＧＮ通信路）は、伝送チャネル全体で変化が少ない周波数応答で特徴付けられる。ＡＷＧＮ通信路の場合、伝送チャネルは類似した受信ＳＮＲを達成する。データパケットが類似した受信ＳＮＲの伝送チャネルのグループで送信される場合には、ＳＮＲはデータパケット全体でほぼ一定となるであろう。「一定のＳＮＲ」データパケットの場合、ある特定のレベルの性能のための必須ＳＮＲとデータレートの関係性は当技術分野で周知である。所望されるレベルの性能は特定のパケット誤り率（ＰＥＲ）、フレーム誤り率（ＦＥＲ）、ブロック誤り率（ＢＬＥＲ）、ビット誤り率（ＢＥＲ）又はなんらかの他の基準によって数値で表されてよい。適切な伝送モードは、ＡＷＧＮ伝送チャネルの受信ＳＮＲに基づいて容易に選択されてよい。
【００３２】
しかしながら、前記に注記されたように、複数の伝送チャネルは様々な通信路状態を経験し、異なる受信ＳＮＲを達成する可能性がある。データパケットが異なる受信ＳＮＲの伝送チャネルのグループで送信される場合には、ＳＮＲは受信データパケット全体で相応して変化するであろう。この「変化するＳＮＲ」パケットという問題は広帯域通信システムについて、及び周波数選択フェージングのある「マルチパス」通信路（つまり、伝送チャネル全体で均一ではない応答）について悪化している。ここに説明される技法は、特定の所望されるレベルの性能のために様々なＳＮＲの伝送チャネルのグループで送信される各データストリームに使用されてよい最大データレートを決定することである、符号化されたマルチチャネル通信システムの重要な課題に取り組む。
【００３３】
図２は、ＮＤ個のデータストリームのそれぞれに適した伝送モードを決定できる伝送モードセレクタ１６６の実施形態のブロック図を示す。各データストリームは伝送チャネルのそれぞれのグループで送信される。簡単にするために、１つのデータストリームのための伝送モード選択が後述される。以下の説明の場合、ＳＮＲはデシベル（ｄＢ）単位で示される。
【００３４】
伝送モードセレクタ１６６の中では、ＳＮＲ統計計算装置２１０がデータストリームに使用される伝送チャネルのグループのためのＳＮＲ推定値を受け取る。既定の伝送チャネルのためのＳＮＲ推定値は、
【数３】
2006521068.tif 000005
【００３５】
として表され、ここではｉはデータストリームに使用される伝送チャネルの指数であり、
Ｎｃはデータストリームに使用される伝送チャネルの数であり、
ｓｉは伝送チャネルｉの複合利得であり、
Ｎ０は伝送チャネルｉの雑音分散であり、
γｉは伝送チャネルｉのＳＮＲ推定値である。
【００３６】
複数の種類のマルチチャネル通信システムのためのＳＮＲ推定値の導出は後述される。装置２１０は、ＳＮＲ推定値の平均ＳＮＲ及び不偏分散を計算する。
【００３７】
平均ＳＮＲは以下のように計算されてよく、
【数４】
2006521068.tif 000006
【００３８】
ここではｉはデータストリームに使用される伝送チャネルのための指数であり、
γｉは伝送チャネルｉのＳＮＲ推定値であり、
γａｖｇはデータストリームのために使用されるＮＣ個の伝送チャネルの平均ＳＮＲである。
【００３９】
ＳＮＲ推定値の不偏分散は以下のように計算されてよく、
【数５】
2006521068.tif 000007
【００４０】
ここではσ２γはＳＮＲ分散である。
【００４１】
計算装置２１２は、次にデータストリームに使用される伝送チャネルのグループのための動作ＳＮＲを計算するために、平均ＳＮＲとＳＮＲ分散を使用する。動作ＳＮＲは以下のように計算されてよく、
γｏｐ＝γａｖｇ−γｂ０，    （ｄＢ）              式（４）
ここではγｂ０はバックオフ係数であり、
γｏｐは伝送チャネルのグループのための動作ＳＮＲである。
【００４２】
バックオフ係数は、通信リンクの周波数選択性（つまり、受信ＳＮＲの変動を生じさせる均一ではない周波数スペクトル）を説明するために使用される。バックオフ係数は平均ＳＮＲ、ＳＮＲ分散、及びおそらく他の係数の関数であってよい。バックオフ係数は詳しく後述される。
【００４３】
システムは伝送モードの集合をサポートするように設計されてよい。それぞれのサポートされている伝送モードは、後述されるように決定される、所望されるレベルの性能を達成するために必要とされる特定の最小ＳＮＲと関連付けられている。
【００４４】
これらの伝送モードのそれぞれについて、サポートされる伝送モード及び必須ＳＮＲの集合を記憶するためにルックアップテーブル２１４が使用されてよい。データストリームのために使用される伝送チャネルのグループのための動作ＳＮＲは、次にデータストリームに伝送モードを提供するルックアップテーブル２１４に提供される。この伝送モードが最高のデータレートと、動作ＳＮＲ未満である、又は動作ＳＮＲに等しい必須ＳＮＲのサポートされている伝送モードである。ルックアップテーブル２１４は、このようにして動作ＳＮＲに基づいてデータストリームのための考えられる最高のデータレートを選択する。
【００４５】
表１は、伝送モード指数０から１３で特定される、システムによってサポートされている１４の伝送モードの例示的な集合を一覧表示している。各伝送モードは特定のスペクトル効率、特定のコードレート、特定の変調方式、及び非フェージングＡＷＧＮ通信路のために１％のＰＥＲを達成するために必要とされる最小ＳＮＲと関連付けられている。スペクトル効率は、システム帯域幅により正規化されるデータレート（つまり情報ビットレート）を指し、１ヘルツあたりビット／秒（ｂｐｓ／Ｈｚ）の単位で示される。表１の各伝送モードの情報レート及び変調方式は、例示的なシステム設計に特殊である。指数０を有する伝送モードはヌルデータレート（つまりデータ伝送なし）の場合である。ゼロ以外のデータレートの各伝送モードに、必須ＳＮＲが特定のシステム設計（つまり、その伝送モードのためにシステムが使用する特定の情報レート、インタリーブ方式、変調方式等）に基づいて、及びＡＷＧＮ通信路について取得される。必須ＳＮＲは、技術で既知であるように、計算、コンピュータシミュレーション、実験に基づいた測定等によって取得されてよい。
【表１】
2006521068.tif 000008
【００４６】
図３は、様々なＳＮＲの伝送チャネルのグループで送信されるデータストリームのために伝送モードを決定するためのプロセス３００の流れ図を示している。当初、（例えば、伝送チャネルで受信されるパイロット記号に基づいて）データストリームに使用される各伝送チャネルのためのＳＮＲ推定量が取得される（ステップ３１２）。伝送チャネルのためのＳＮＲ推定値はｄＢの単位で示される。次に、伝送チャネルのグループのための平均ＳＮＲが式（２）に示されるように計算される（ステップ３１４）。伝送チャネルのＳＮＲ推定値の不偏分散も、式（３）に示されるように計算される（ステップ３１６）。それからバックオフ係数が（例えば、平均ＳＮＲ、ＳＮＲ分散、及び／又は他の係数に基づいて）決定される（ステップ３１８）。伝送チャネルのグループのための動作ＳＮＲは、次に、式（４）に示されるように平均ＳＮＲ及びバックオフ係数に基づいて計算される（ステップ３２０）。
【００４７】
それから伝送モードは動作ＳＮＲに基づいてデータストリームについて決定される（ステップ３２２）。サポートされた伝送モードとそれらの必須ＳＮＲのルックアップテーブルはステップ３２２について参考にされてよい。ステップ３１２から３２２は、ＮＤ個のデータストリームのそれぞれが独立して処理されるために実行されてよい。
【００４８】
明確にするために、次に伝送モード選択プロセスの特定の例について説明する。この例では、データストリームは受信ＳＮＲが２．７４ｄＢ、４．２７ｄＢ、６．６４ｄＢ及び９．５２ｄＢの４つの伝送チャネルのグループで送信される。平均ＳＮＲはγａｖｇ＝５．７９ｄＢとして計算され、ＳＮＲ分散はσ２γ＝８．７５として計算される。この例の場合、バックオフ係数は関数γｂｏ＝Ｆ（γａｖｇ，σ２γ）＝０．２５・σ２γとして求められ、          γｂ０＝２．１９ｄＢとして計算される。動作ＳＮＲは、次にγｏｐ＝５．７９−２．１９＝３．６０ｄＢとして計算される。
【００４９】
表１に示されるサポートされている伝送モード及びそれらの必須ＳＮＲの集合を使用して、モード指数２の伝送モードがデータストリームに選択される。前記選択されたモードは（３．６０ｄＢという）動作ＳＮＲ未満である、又は動作ＳＮＲに等しい（１．２ｄＢという）最高の必須ＳＮＲを有する。選択された伝送モードは０．５ｂｐｓ／Ｈｚのデータレート、１／２の情報レート、及びＢＰＳＫ変調がデータストリームに使用されなければならないことを示す。
【００５０】
平均ＳＮＲは、ＡＷＧＮ通信路の正確な推定値であり、マルチパス通信路にとってはそれほど正確な推定値ではない、伝送チャネルのグループの伝送容量の推定値を表す。平均ＳＮＲはこれらの伝送チャネルで送信されるデータストリームのための伝送モードを選択するために使用されてよい。選択された伝送モードは、所望されるＰＥＲについて伝送チャネルのグループがサポートできるデータレートの予測を表す。しかしながら、任意の予測方法と同様に、予測誤差があるのは不可避である。所望されるＰＥＲを達成できることを確実にするために、バックオフ係数が使用されてよい。バックオフはシステムのスループットを削減するので、所望されるＰＥＲが達成できることを確実にしつつ、このバックオフを可能な限り小さく抑えることが望ましい。
【００５１】
バックオフ係数は多様な係数に基づいて求められてよい。１つのこのような係数が、ＳＮＲ分散、σ２γにより数値で表される伝送チャネルのグループのためのグループのＳＮＲ推定値における変動性の量である。予測誤差のさらに高い尤度を説明するためにはより大きなＳＮＲ分散により大きなバックオフ係数が使用されてよい。逆にバックオフ係数は、ＳＮＲ分散がゼロに縮小するにつれてゼロに近づき、その結果σ２γ＝０のＡＷＧＮ通信路にはバックオフは必要とされない。
【００５２】
バックオフ係数は、データストリームに使用されるダイバーシティ、符号化方式及びインタリーブ方式などのシステムに特殊な係数に基づいて決定されてもよい。ダイバーシティは、時間領域、周波数領域、及び／又は空間領域で提供されてよい。空間ダイバーシティは複数の送信アンテナ（送信ダイバーシティ）及び／又は複数の受信アンテナ（受信ダイバーシティ）の使用によってデータストリームのために達成されてよい。インタリーブは、インタリーブされたビットがマッピングされる方法に応じて、時間ダイバーシティ、周波数ダイバーシティ、及び／又は空間ダイバーシティを達成するために使用されてよい。データストリームに使用されるための符号の制約長Ｋだけではなく、符号化方式のタイプもバックオフ係数に影響を及ぼす。畳込み符号の性能はＳＮＲ内の貫通（ｐｕｎｃｔｕｒｉｎｇ）及び変動性により敏感であり、より大きなバックオフ係数がこれらの符号に使用されてよい。逆に、ターボ符号の性能は貫通にはあまり敏感ではなく、これらの符号にはより小さいバックオフ係数が使用されてよい。パケットサイズはバックオフ係数にも影響を及ぼし、所望されるＰＥＲを達成するためにはより大きなパケットサイズのためにより大きなバックオフ係数が必要とされてよい。バックオフ係数は多様な方法で決定されてよく、その内のいくつかは後述される。
【００５３】
ある実施形態では、バックオフ係数は平均ＳＮＲとＳＮＲ分散の関数として以下のように計算される。
【００５４】
γｂｏ＝Ｆ（γａｖｇ，σ２γ）  （ｄＢ）        式（５）
式（５）は、バックオフ係数が、平均ＳＮＲ又はＳＮＲ分散の関数、あるいは平均ＳＮＲとＳＮＲ分散の両方の関数であってよいか、あるいはどちらでもないことを示している。式（５）はこのようにしてバックオフ係数のための関数の一般的な形式である。
【００５５】
ＳＮＲ分散の関数であるバックオフ係数の特殊な関数は以下のように表されてよく、
γｂｏ＝Ｆ（σ２γ）＝Ｋｂ・σ２γ  （ｄＢ）        式（６）
ここではＫｂはスケーリングファクタである。
【００５６】
スケーリングファクタＫｂは、システムに特殊な多様な係数に基づいて選択され、通常０から１の範囲となる（つまり、１≧Ｋｂ≧０）。スケーリングファクタＫｂはシステムによって使用される特殊な符号の最小自由距離ｄｍｉｎの関数であってよい。ｄｍｉｎの一般的な概念は技術で周知であり、既定の符号のｄｍｉｎは既知であるか、あるいは技術で既知の方法で確かめられてよい。スケーリングファクタＫｂはターボ符号の場合より小さく、畳込み符号の場合はより大きくてよい。既定のタイプの符号（つまり、畳込み又はターボ）の場合、符号の制約長Ｋもスケーリングファクタに影響を及ぼす。より大きな制約長にはより小さなスケーリングファクタが使用されてよく、逆もまた同様である。既定のシステム設計の場合、スケーリングファクタＫｂは（多数の実現のための）シミュレーション、実験に基づいた測定等に基づいて決定されてよい。
【００５７】
別の実施形態では、バックオフ係数は係数の集合に基づいて計算される。関数Ｆ（ｘ）が定義されてよく、ここではｘは検討されるパラメータ又は係数の集合（例えば、平均ＳＮＲ、ＳＮＲ分散、符号化方式、インタリーブ、ダイバーシティ、パケットサイズ等）を表す。
【００５８】
さらに別の実施形態では、（つまり、平均ＳＮＲ又はＳＮＲ分散に依存せずに）固定バックオフ係数が使用される。この固定バックオフ係数は（例えば、大きなダイバーシティ順序、ターボ符号等のシステムなど）いくつかのシステム設計には優れた性能を提供する。
【００５９】
前述された伝送モード選択技法を多様なタイプのマルチチャネル通信システムに使用することが以下に説明される。
【００６０】
１．ＯＦＤＭシステム
ＯＦＤＭシステムの場合、システム帯域幅全体での通信路応答は、ｋ＝１，２，．．．ＮＦの場合｛ｈ（ｋ）｝により示されてよく、ここではＮＦはサブバンドの数である。ｈ（ｋ）がサブバンドｋ全体で均一であると仮定される。マルチパス通信路の場合、通信路応答｛ｈ（ｋ）｝はシステム帯域幅全体で変化するが、雑音分散Ｎ０は通常一定である。これらのパラメータはＮＦ個のサブバンドごとに受信ＳＮＲを計算するために使用されてよい。ＯＦＤＭシステムの総送信電力、ＰｔｏｔａｌがＮＦ個のサブバンド全体で一様に分散される場合には、各サブバンドの受信ＳＮＲは、
【数６】
2006521068.tif 000009
【００６１】
として表されてよく、ここではγ（ｋ）はサブバンドｋ及びＫ＝｛１，２，．．．ＮＦ｝のための受信ＳＮＲである。式（７）はＯＦＤＭシステム内の受信ＳＮＲを計算する例示的な方法を表す。受信ＳＮＲは技術で既知の他の方法で計算されてもよい。
【００６２】
図４は、周波数選択フェージングのあるＯＦＤＭシステムのための受信ＳＮＲの例示的なプロット４１０を示す。システム帯域幅全体で変化する通信路利得のあるマルチパス通信路の場合、プロット４１０によって示されるように様々なサブバンドのために異なる受信ＳＮＲが達成される。データ伝送に使用される全サブバンドの受信ＳＮＲは、プロット４１２によって示される平均ＳＮＲ、γａｖｇを取得するために平均されてよい。
【００６３】
２．ＯＦＤＭＡシステム
直交周波数分割多元接続（ＯＦＤＭＡ）通信システムは、周波数領域多重化を通して同時に複数のユーザをサポートできる。ＯＦＤＭＡシステムでは、各ユーザは、他のユーザに割り当てられるサブバンドの集合から互いに素であるサブバンドの特定の集合を割り当てられる（つまり、各サブバンドは、仮にあったとしても、ただ１人のユーザに割り当てられる）。複数のユーザはサブバンドのそれらの割り当てられた集合を介して同時にデータを送信及び／又は受信してよい。各ユーザはサブバンドの割り当てられた集合で１つ以上のデータストリームを送信及び／又は受信してよい。前述された伝送モード選択技法は、サブバンドの割り当てられた集合について達成された受信ＳＮＲに基づいてユーザごとに個別に実行されてよい。
【００６４】
３．ＳＩＭＯ−ＯＦＤＭシステム
単一入力多出力（ｓｉｎｇｌｅ−ｉｎｐｕｔ  ｍｕｌｔｉｐｌｅ−ｏｕｔｐｕｔ）（ＳＩＭＯ）通信システムの場合、ＮＲ本の受信アンテナが単一の送信アンテナから送信されるデータ伝送を受信するために使用される。単一送信アンテナ及びＮＲ本の受信アンテナの間の通信路応答は、ｊ＝１，２，．．．ＮＲ及びｋ＝１，２，．．．ＮＦの場合、ｈ（ｋ）又は｛ｈｊ（ｋ）｝と表されてよく、ここではｈｊ（ｋ）はサブバンドｋ送信アンテナとの受信アンテナｊの間の通信路利得である。
【００６５】
（１，ＮＲ）ＳＩＭＯ−ＯＦＤＭシステムのためのＳＮＲ関数は、ＳＩＭＯ−ＯＦＤＭシステムのための受信ＳＮＲはＮＲ本の受信されたアンテナのすべてのための受信ＳＮＲの総計により取得されるという点を除きＯＦＤＭシステムのＳＮＲ関数と類似している。ＳＩＭＯ−ＯＦＤＭシステムの各サブバンドのための受信ＳＮＲは以下のように表されてよく、
【数７】
2006521068.tif 000010
【００６６】
ここでは各サブバンドの送信電力は１に正規化される。式（８）はＳＩＳＯ−ＯＦＤＭシステムの受信ＳＮＲを計算する例示的な方法を表す。簡単にするために、式（８）は、同じ雑音分散Ｎ０がすべてのＮＲ本の受信アンテナで受信されると仮定する。式（８）は様々な受信アンテナで受信される異なる雑音分散Ｎ０を説明するために修正されてよい。受信ＳＮＲは、当技術分野で既知の他の方法で計算されてもよい。
【００６７】
ＳＩＭＯ−ＯＦＤＭシステムの場合、ＮＦ個のサブバンドについて式（８）に基づいて決定される受信ＳＮＲは、伝送モード選択に使用されてよい。受信ＳＮＲの計算での変更を除き、ＳＩＭＯ−ＯＦＤＭシステムのための伝送モード選択はＯＦＤＭシステムの場合と同様に実行されてよい。
【００６８】
４．ＭＩＭＯシステム
ＭＩＭＯシステムの場合、複数の空間通信路はデータ伝送に使用されるＮＴ本の送信アンテナとＮＲ本の受信アンテナによって形成される。空間処理は受信機で実行され、すべての空間通信路での同時データ伝送を見越すために送信機で実行されてもよい。受信機での空間処理はＭＩＭＯ通信路のための通信路応答行列Ｈも提供する。通信路応答行列Ｈの要素はｊ＝１，２，．．．ＮＲ及びｉ＝１，２，．．．ＮＴの場合｛ｈｊ，ｉ｝であり、ここでｈｊ，ｉは送信アンテナｉと受信アンテナｊの間の結合、つまり通信路利得である。ＭＩＭＯ通信路は均一フェージング狭帯域通信路であると仮定されてよい。この場合、通信路応答行列Ｈの要素はスカラー量であり、各送信−受信アンテナ組の間の結合ｈｊ，ｉは単一のスカラー値で表すことができる。
【００６９】
通信路応答行列Ｈは、ＭＩＭＯ通信路の空間通信路を決定するために、両方とも当技術分野で既知である特異値分解又は固有値分解を使用して分解されてよい。各空間通信路のＳＮＲは、次に前記分解の結果に基づいて決定されてよい。適切な伝送モードは、それらの受信ＳＮＲに基づいて複数の空間通信路でのデータ伝送のために選択されてよい。
【００７０】
５．ＭＩＭＯ−ＯＦＤＭシステム
ＭＩＭＯ−ＯＦＤＭシステムの場合、通信路応答行列Ｈ（ｋ）は、ＮＦ個のサブバンドのそれぞれに取得されてよい。データ伝送はすべてのＮＴ本の送信アンテナのすべてのＮＦ個のサブバンドで発生してよい。
【００７１】
ＭＩＭＯ−ＯＦＤＭシステムのモデルは以下のように表されてよく、
【数８】
2006521068.tif 000011
【００７２】
ここではｙ（ｋ）［ｙ１（ｋ）ｙ２（ｋ）…ｙＮＲ（ｋ）］ＴはサブバンドｋのためのＮＲ個の受信記号のベクトルであり、ここではｙｊ（ｋ）は受信アンテナｊのサブバンドｋ上で受信されるエントリであり、ｘ（ｋ）＝［ｘ１（ｋ）ｘ２（ｋ）…ｘＮＴ（ｋ）］ＴはサブバンドｋのためのＮＴ個の送信記号のベクトルであり、ここではｘｉ（ｋ）は送信アンテナｉのサブバンドｋで送信されるエントリであり、
Ｈ（ｋ）はサブバンドｋの通信路応答行列であり、
ｎは、Λｎ＝Ｎ０Ｉのゼロ平均及び共分散行列の相加性白色ガウス雑音（ＡＷＧＮ）であり、ここでＩは単位行列である。
【００７３】
簡単にするために、（ごくわずかである場合がある）送信機と受信機両方でのＯＦＤＭ処理の影響は式（９）に示されていない。
【００７４】
ＭＩＭＯ−ＯＦＤＭシステムの場合、データは多数の伝送方式を使用して処理され、送信されてよい。各伝送方式は（１）データが伝送の前に処理される（つまり、符号化される、インタリーブされる、あるいは変調される）方法、（２）（もしあれば）送信機と受信機での空間処理、及び（３）独立して処理されたデータストリームごとに使用するための伝送チャネルを指定してよい。いくつかの例示的な伝送方式が後述される。
【００７５】
Ａ．全アンテナ伝送方式
全アンテナ伝送（ＡＡＴ）方式の場合、１つのデータストリームは全送信アンテナの全サブバンドで送信される。この方式の場合、送信されるデータは、変調記号を取得するために１つの共通した符号化及び変調方式を使用して、最初に符号化され、インタリーブされ、変調される。変調記号は、次にＮＴ本の送信アンテナのためにＮＴ個の変調記号ストリームｓに逆多重化される。ＡＡＴ方式の場合、空間処理は送信機では実行されず、ＮＴ個の送信記号ストリームはＮＴ個の変調記号ストリームに等しい（つまりｘ＝ｓ）。各送信記号ストリームは１本の送信アンテナから送信され、式（９）のベクトルｘの中のＮＴ個のエントリの内の１つに相当する。
【００７６】
伝搬環境における散乱のため、既定のサブバンドｋでＮＴ本の送信アンテナから送信されるＮＴ個の送信記号ストリームは、そのサブバンドでの通信路応答行列Ｈ（ｋ）に従って受信機で互いと干渉する。特に、１本の送信アンテナから送信される既定の送信記号ストリームは様々な振幅及び位相ですべてのＮＲ本の受信アンテナによって受信されてよい。その結果、受信アンテナごとの受信記号ストリームは、ＮＴ個の送信記号ストリームのそれぞれの構成要素を含んでよい。ＮＲ個の受信記号ストリームは集合的にすべてのＮＴ個の送信記号ストリームを含むであろう。しかしながら、これらのＮＴ個の送信記号ストリームはＮＲ個の受信記号ストリームの間で分散される。
【００７７】
空間処理器用及び空間−時間受信機処理技法は、受信機で送信記号ストリームを分離し、回収するために使用されてよい。各送信記号ストリームは、（１）通信路応答の推定値に基づいて、ＮＲ個の受信記号ストリームにおけるその送信記号ストリームの多様な構成要素を結合し、（２）他の送信記号ストリームのための干渉を除去する又は解除することによって回収されてよい。それぞれの受信機処理技法は（１）他の送信記号ストリームから干渉がないように個々の送信記号ストリームを非相関させる（ｄｅｃｏｒｒｅｌａｔｅ）、又は（２）他の記号ストリームからの雑音と干渉の存在下でそれぞれの回収された記号ストリームのＳＮＲを最大限にするかのどちらかを試行する。それぞれの回収された記号ストリームは、復号データを取得するためにさらに処理される（例えば、復調され、デインタリーブされ、復号される）。
【００７８】
送信記号ストリームを回収するために使用されてよい１つの空間受信機処理技法は、線形ゼロ−強制（ｌｉｎｅａｒ  ｚｅｒｏ−ｆｏｒｃｉｎｇ）（ＺＦ）等化器である。線形ＺＦ等化器は、以下のように取得されてよいＷＺＦ（ｋ）の応答を有する。
【数９】
2006521068.tif 000012
【００７９】
送信記号ストリームｘの推定値である回収された記号ストリームｘ＾（なお、記号＾はｘの頂部に付されているが、表記不可であるので右側上部に付している。他の記号についても同様である。）は、以下のようにして取得されてよい。
【数１０】
2006521068.tif 000013
【００８０】
式（１１）の右側に示されるように、回収された記号ストリームｘ＾は、一般的には共分散行列
【数１１】
2006521068.tif 000014
【００８１】
と相関している、濾波された雑音ＷＺＦＨ（ｋ）ｎが加えられた送信記号ストリームｘを含む。
【００８２】
他の空間処理及び空間−時間受信機処理の技法も、送信記号ストリームを回収するために使用されてよく、これは本発明の範囲内である。これらの他の受信機処理技法のいくつかは、２００１年１１月６日に出願され、本願の譲受人に譲渡された「多元接続多入力多出力（ＭＩＭＯ）通信システム（Multiple-Access Multiple-Input Multiple-Output(MIMO) Communication System）」と題される米国特許出願第０９／９９３，０８７号に説明されている。
【００８３】
ＡＡＴ方式の場合、受信機にある線形ＺＦ等化器を用いて、各送信アンテナのサブバンドごとの受信ＳＮＲが以下のように表されてよく、
【数１２】
2006521068.tif 000015
【００８４】
ここではｗｊ（ｋ）はＷＺＦ（ｋ）のｊ番目の列であり、γｊ（ｋ）は送信アンテナｊ及びＪ＝｛１，２，．．．ＮＲ｝のサブバンドｋのための受信ＳＮＲである。式（１２）は、それにより線形ＺＦ等化器が受信機で使用されるＭＩＭＯ−ＯＦＤＭシステムで受信ＳＮＲを計算する例示的な方法を表す。一般的には、受信ＳＮＲは使用するために選択される特定の受信機処理技法に依存し、当技術分野の既知の他の方法で計算されてよい。
【００８５】
図５Ａは、周波数選択フェージングのあるＭＩＭＯ−ＯＦＤＭシステムにおけるＮＴ本の送信アンテナのための受信ＳＮＲの例示的なプロットを示す。各送信アンテナｊの通信路応答は、ｋ∈Ｋ及びｊ∈Ｊの場合、ｈｊ（ｋ）によって指定され、ここでｈｊ（ｋ）は行列Ｈ（ｋ）のｊ番目の列であり、ＮＲ本の受信アンテナのためのＮＲ個の要素を含む。ｈｊ（ｋ）という通信路応答及びＮ０という雑音分散の各送信アンテナｊの場合、ＮＦ個のサブバンドのための受信ＳＮＲのプロット５１０は式（１２）に示されるように計算されてよい。図５Ａに図示されるように、ＮＴ本の送信アンテナのための受信ＳＮＲプロット５１０ａから５１０ｔは、これらの送信アンテナのための独立したフェージングのために異なってよい。
【００８６】
図５Ｂは、図５Ａに図示されるＭＩＭＯ−ＯＦＤＭシステムをモデル化するために使用される同等なシステムにおける受信ＳＮＲのプロット５２０を示す。同等なシステムはＮＴ個の受信ＳＮＲプロット５１０ａから５１０ｔの連結により結合されるＳＮＲ応答を有する。平均ＳＮＲ及びＳＮＲ分散は前述された方法で同等なシステムのために計算されてよい。平均ＳＮＲ及びＳＮＲ分散は次に、前述されたようにＮＴ本の送信アンテナのＮＦ個のサブバンドでのデータ伝送のための伝送モードを決定するために使用されてよい。
【００８７】
Ｂ．アンテナ単位の伝送方式
アンテナ単位の伝送（ＰＡＴ）方式の場合、１つのデータストリームは各送信アンテナの全サブバンドで送信される。この方式の場合、送信されるデータは最初にＮＴ本の送信アンテナのためのＮＴ個のデータストリームに逆多重化される。各データストリームは次に、変調記号の対応するストリームを提供するために独立して符号化され、インタリーブされ、変調される。データレート及び符号化方式と変調方式はＮＴ個のデータストリームについて同じ又は異なる場合がある。ＰＡＴ方式の場合、空間処理は送信機で実行されず、ＮＴ個の送信記号ストリームはＮＴ個の変調記号ストリームに等しい（つまりｘ＝ｓ）。各送信記号ストリームは１本の送信アンテナから送信され、式（９）のベクトルｘの中のＮＴのエントリの１つに相当する。
【００８８】
受信機では、ＮＴ個の変調記号ストリームが空間処理技法又は空間−時間受信機処理技法を使用して回収されてよい。受信機は線形ゼロ強制（ＺＦ）等化器又はなんらかの他のタイプの等化器を活用してよい。線形ＺＦ等化器が使用される場合には、この等化器の応答ＷＺＦ（ｋ）は式（１０）に示されるように決定され、式（１１）に示されるように送信記号ストリームを回収するために使用されてよい。送信アンテナごとの受信ＳＮＲは次に式（１２）に示されるように計算されてよい。
【００８９】
代わりに、ＮＴ個の送信記号ストリームは、連続干渉解除（ＳＩＣ）処理技法とも呼ばれる連続ヌル化（ｎｕｌｌｉｎｇ）／等化及び干渉解除（ｉｎｔｅｒｆｅｒｅｎｃｅ  ｃａｎｃｅｌｌａｔｉｏｎ）受信機処理技法を使用して回収されてよい。ＳＩＣ処理技法は空間処理又は空間−時間受信器処理を使用して、各段で１個のストリームずつ、ＮＴ個の送信記号ストリームを回収しようとする。各送信記号ストリームが回収されると、残りであるが、まだ回収されていない送信記号ストリーム上で回収された記号ストリームによって引き起こされる干渉が推定され、修正された記号ストリームを取得するために受信された記号ストリームから解除される。修正された記号ストリームは次に、次の送信記号ストリームを回収するために次の段によって処理される。
【００９０】
ＮＴ個の送信記号ストリームは多様な順序で回収されてよい。一般的には、最初の段によって回収される送信記号ストリームは、最も多い干渉を経験し、そのストリームにとって考えられる最悪の受信ＳＮＲを達成し、最後の段によって回収される送信記号ストリームは最も少ない干渉を経験し、そのストリームにとって考えられる最高の受信ＳＮＲを達成する。簡単にするために、以下の説明では、ＮＴ個の送信記号ストリームは昇順で回収される（つまり、送信アンテナ１から送信される送信記号ストリームが最初に回収され、送信アンテナ２から送信される送信記号ストリームが次に回収される等）と仮定する。
【００９１】
ＳＩＣ受信機のλ番目の段の場合、１∈Ｌ及びＬ＝｛１，２，．．．ＮＴ｝の場合にλ番目の送信アンテナから送信される送信記号ストリームを回収するために、（λ―１）番目の過去に回収された記号ストリームからの干渉が解除されると仮定される。他の（ＮＴ−λ）番目のまだ回収されていない送信記号ストリームからの干渉は、この段で回収される送信記号ストリームにとって適切な整合フィルタｗλ（ｋ）で最小限に抑えられてよい（つまり無効にされてよい）。整合フィルタｗλ（ｋ）は、ＮＲ本の受信アンテナのためのＮＲ個の要素を含み、各要素はＮＦ個のサブバンドのためのＮＦ個の係数のベクトルである。ＳＩＣ受信機の各段は、このようにして（１，ＮＲ）ＳＩＭＯ−ＯＦＤＭシステムに似ている。
【００９２】
λ番目の段のための整合フィルタｗλ（ｋ）は、その段のための削減された通信路応答行列Ｈλ（ｋ）に基づいて取得されてよい。１個の送信記号ストリームが回収され、各段で解除されたので、通信路応答行列Ｈ（ｋ）は段ごとに１列削減される。λ番目の段の場合、削減された通信路応答行列Ｈλ（ｋ）は（ＮＲ×（ＮＴ−λ＋１）行列であり、（λ−１）の過去の回収された記号ストリームのための送信アンテナの（λ−１）列が元の行列Ｈ（ｋ）から削除される。
【００９３】
λ番目の段のためのＺＦ等化器応答行列ＷＺＦ，λ（ｋ）は式（１０）に示されるように削減された通信路応答行列Ｈλ（ｋ）に基づいて導出されてよい。しかしながら、Ｈλ（ｋ）は段ごとに異なるため、ＷＺＦ，λ（ｋ）も段ごとに異なる。λ段目で回収される送信記号ストリームのための整合フィルタＷλ（ｋ）は、Ｗλ（ｋ）＝ＷＺＦ，λ（ｋ）として表されてよく、ここではＷＺＦ，λ（ｋ）はλ番目の送信アンテナに相当し、λ番目の段のために導出されるＺＦ等化器応答行列ＷＺＦ，λ（ｋ）の第１の列である。
【００９４】
その結果、λ番目の送信アンテナのための回収された記号ストリームｘλ＾は以下のようにして取得されてよく、
【数１３】
2006521068.tif 000016
【００９５】
ここではｘλ（ｋ）はλ番目の段で回収されている送信記号ストリームを示し、
ｙλ（ｋ）はλ番目の段のための修正された受信信号ストリームを示し、（λ−１）の過去の回収された記号ストリームのための干渉が除去される。
【００９６】
ＳＩＣ受信機のλ番目の段のための空間処理又は空間−時間処理は（ＮＴ−λ＋１）個の回収された記号ストリーム、つまり｛ｘｊ＾｝ｆｏｒ  ｊ＝λ，λ＋１，…ＮＴを提供することができる。（ＮＴ−λ＋１）個の回収された記号ストリームの内の１つ（例えば、λ番目の送信アンテナに対応するもの）は、その記号ストリームのための復号されたデータを取得するための追加の処理のために選択される。ＳＩＣ処理技法は、前述された米国特許出願第０９／９９３，０８７号に、及び２００２年６月２０日に出願され、本願の譲受人に譲渡された「マルチチャネル通信システムのためのレート制御（Rate Control for Multi-Channel Communication Systems）」と題される米国特許出願第１０／１７６，５６７号にさらに詳しく説明されている。
【００９７】
通常、ＳＩＣ受信機のための重要な考慮事項は、送信記号ストリームが回収される順序である。同じ伝送モードがすべてのＮＴ本の送信アンテナに使用される場合には、段ごとに最高の受信ＳＮＲを達成する回収された記号ストリームが復号のために選択されてよい。しかしながら、ここに説明されている伝送モード選択技法を用いる場合、送信アンテナのための伝送モードが個別に選択されてよい。
【００９８】
ＰＡＴ方式の場合、受信機にある線形ＺＦ等化器を用いて、各送信アンテナのサブバンドごとの受信ＳＮＲは以下のように表されてよく、
【数１４】
2006521068.tif 000017
【００９９】
ここではγλ（ｋ）は送信アンテナλのサブバンドｋのための受信ＳＮＲであり、
ｗλ（ｋ）は、λ番目の段のためのＺＦ等化器応答行列ＷＺＦ，λ（ｋ）に基づいて取得される。
【０１００】
式（１４）は、線形ＺＦ等化器を使用するＳＩＣ受信機のあるＭＩＭＯ−ＯＦＤＭシステムにおける受信ＳＮＲを計算する例示的な方法を表している。やはり、受信ＳＮＲは使用するために選択される特定の受信機処理技法に依存し、当技術分野で既知の他の方法で計算されてよい。
【０１０１】
図６は、周波数選択フェージングのあるＭＩＭＯ−ＯＦＤＭシステムにおけるＮＴ本の送信アンテナのための受信ＳＮＲの例示的なプロットを示す。送信アンテナごとに、ＮＦ個のサブバンドのための受信ＳＮＲのプロット６１０が、通信路応答ｈλ（ｋ）、整合フィルタｗλ（ｋ）、及び雑音分散Ｎ０に基づいて式（１４）に示されるように計算されてよい。図６に図示されるように、ＮＴ本の送信アンテナのための受信ＳＮＲプロット６１０ａから６１０ｔはこれらの送信アンテナのための独立したフェージングのために異なる可能性がある。平均ＳＮＲ及びＳＮＲ分散は、その送信アンテナのＮＦ個のサブバンドのための受信ＳＮＲに基づいて送信アンテナごとに計算されてよい。送信アンテナごとの平均ＳＮＲ及びＳＮＲ分散は、前述されたように、その送信アンテナのＮＦ個のサブバンド上でのデータ伝送に適切な伝送モードを決定するために使用されてよい。ＰＡＴ方式の場合、伝送モード選択は、ＮＴ本の送信アンテナから送信されるＮＴ個のデータストリームのそれぞれに個別に実行されてよい。
【０１０２】
Ｃ．固有モード単位の伝送方式
固有モードの伝送（ＰＥＴ）方式の場合、１つのデータストリームは（後述される）各広帯域固有モードで送信される。この方式の場合、送信されるデータは、（ＮＳ＝ＮＴと仮定して）まずＮＴ個の広帯域固有モードのためのＮＴ個のデータストリームに逆多重化される。各データストリームは、次に対応する変調記号ストリームを提供するために個別に符号化され、インタリーブされ、変調される。データレート及び符号化方式と変調方式はＮＴ個のデータストリームにとって同じ又は異なってよい。ＮＴ個の変調記号ストリームは、次にＮＴ本の送信アンテナのためのＮＴ個の送信記号ストリームを取得するために送信機で空間的に処理される。
【０１０３】
各サブバンドの通信路応答行列Ｈ（ｋ）は、そのサブバンドのためのＮＴ個の固有モードを取得するために分解されてよい。これは、Ｈ（ｋ）で特異値分解、又はＨ（ｋ）の相関行列で固有モード分解のどちらかを実行することによって達成されてよく、Ｒ（ｋ）＝ＨＨ（ｋ）Ｈ（ｋ）である。Ｈ（ｋ）での特異値分解は、以下のように表されてよく、
【数１５】
2006521068.tif 000018
【０１０４】
ここではＵ（ｋ）は、Ｈ（ｋ）の左固有ベクトルの（ＮＲ×ＮＲ）ユニタリ行列であり、
Σ（ｋ）は、Ｈ（ｋ）の特異値の（ＮＲ×ＮＴ）対角行列であり、
Ｖ（ｋ）は、Ｈ（ｋ）の右固有ベクトルの（ＮＴ×ＮＴ）ユニタリ行列である。
【０１０５】
ユニタリ行列は、特性ＭＨＭ＝Ｉで特徴付けられる。特異値分解は、１９８０年、アカデミック出版（Ａｃａｄｅｍｉｃ  Ｐｒｅｓｓ）、「線形代数及びその応用例（Linear Algebra and Its Applications）」第２版と題される書籍の中でＧｉｌｂｅｒｔ  Ｓｔｒａｎｇによって説明されている。
【０１０６】
ｋ∈Ｋの場合に各対角行列Σ（ｋ）の特異値は、第１列が最大の特異値を含み、第２の列が次に大きい特異値を含む等（つまり、σ１≧σ２≧．．．≧σＮＴであり、この場合σｉは順序付け後のΣ（ｋ）のｉ番目の列の固有値である）ように順序付けされてよい。各行列Σ（ｋ）の特異値が順序付けられると、そのサブバンドのための関連付けられるユニタリ行列Ｖ（ｋ）とＵ（ｋ）の固有ベクトル（つまり列）も相応して順序付けられる。広帯域固有モードは順序付け後のすべてのＮＦ個のサブバンドのための同じ順序の固有モードの集合して定義されてよい（つまりｍ番目の広帯域固有モードは、すべてのＮＦ個のサブバンドのｍ番目の固有モードを含む）。おもな広帯域固有モードは順序付け後の各行列Σ（ｋ）の最大特異値を含む（広帯域固有モードは空間通信路と呼ばれることもある）。
【０１０７】
順序付けは、通常、変動性が少ない（つまり、より小さいＳＮＲ分散）主要な広帯域固有モードのための特異値、及び変動性が多い最悪の広帯域固有モードのための特異値を生じさせる。伝送容量が高いより優れた広帯域固有モードには小さい方のバックオフ係数が必要とされるであろうためこれは有利である。
【０１０８】
ＮＴ個の送信記号ストリームｘを取得するためにＮＴ個の変調記号ストリームｓで送信機によって実行される空間処理は、以下のように表されてよい。
【０１０９】
ｘ（ｋ）＝Ｖ（ｋ），ｆｏｒ  ｋ∈Ｋ        式（１６）
受信機では、ＮＲ個の受信記号ストリームｙが、以下のようにＮＴ個の変調記号ストリームを回収するために処理されてよい。
【数１６】
2006521068.tif 000019
【０１１０】
ＰＥＴ方式のための送信機と受信機における空間処理は、前述された米国特許出願第０９／９９３，０８７号に、及び２００２年１０月２５日に出願され、本願の譲受人に譲渡された「ＭＩＭＯ  ＷＬＡＮシステム（ＭＩＭＯ  ＷＬＡＮ  Ｓｙｓｔｅｍ）」と題される仮米国出願第６０／４２１，３０９号に詳しく説明されている。
【０１１１】
ＰＥＴ方式の場合、各広帯域固有モードのサブバンドごとの受信ＳＮＲは以下のように表されてよく、
【数１７】
2006521068.tif 000020
【０１１２】
ここではσｍ（ｋ）は広帯域固有モードｍのサブバンドｋのための特異値であり、
γｍ（ｋ）は広帯域固有モードｍのサブバンドｋの受信ＳＮＲである。
【０１１３】
式（１８）は、１．０という正規化された送信電力が広帯域固有モードごとに使用されると仮定する。式（１８）は、広帯域固有モードでデータを送信するＭＩＭＯ−ＯＦＤＭシステムで受信ＳＮＲを計算する例示的な方法を表している。受信ＳＮＲは、当技術分野で既知の他の方法で計算されてもよい。
【０１１４】
ＰＥＴ方式のためのＮＴ個の広帯域固有モードのための受信ＳＮＲは、ＰＡＴ方式について図６に示されている方法と同様な方法でプロットされてよい。平均ＳＮＲとＳＮＲ分散は、その広帯域固有モードのＮＦ個のサブバンドのＳＮＲに基づいて広帯域固有モードごとに計算されてよい。各広帯域固有モードのための平均ＳＮＲとＳＮＲ分散は、次に、その広帯域固有モードのＮＦ個のサブバンドでのデータ伝送に適した伝送モードを決定するために使用されてよい。ＰＥＴ方式の場合、伝送モード選択は、それぞれＮＴ個の広帯域固有モードで送信されるＮＴ個のデータストリームのそれぞれに個別に実行されてよい。
【０１１５】
Ｄ．ビームステアリング方式
ビームステアリング方式の場合、１つのデータストリームは、全力で、及びこの広帯域固有モードのために、ｋ∈Ｋの場合に主要な固有ベクトルｖ１（ｋ）からの位相情報を使用して主要な広帯域固有モード上で送信される。この方式の場合、データストリームは、次にＮＴ本の送信アンテナのためのＮＴ個の送信記号ストリームを取得するために、送信機で空間的に処理される変調記号ストリームを取得するために最初に処理される。ビームステアリング方式のための送信機と受信機での処理は、２００２年１０月２５日に出願され、本願の譲受人に譲渡された「ＴＤＤ  ＭＩＭＯシステムのための通信路推定及び空間処理（Channel Estimation and Spatial Processing for TDD MIMO Systems）」と題される米国特許仮出願第６０／４２１，４２８号に詳しく説明されている。
【０１１６】
Ｅ．ダイバーシティ伝送方式
ダイバーシティ伝送方式の場合、さらに高い信頼性を達成するために１個のデータストリームが複数のサブバンド及び／又は送信アンテナから送信される。多様なダイバーシティ伝送方式はＭＩＭＯシステムとＭＩＭＯ−ＯＦＤＭシステムのために実現されてよく、その内のいくつかは後述される。これらの方式は、複数の送信アンテナから送信される複数の信号の中で直交性を確立することにより送信ダイバーシティを達成しようと試みる。送信される信号の中での直交性は、周波数、時間、空間、あるいはこれら任意の組み合わせで達成することができる。
【０１１７】
周波数ダイバーシティ方式の場合、データストリームは変調記号のストリームを取得するために処理され、各変調記号は周波数選択フェージングに対抗するために複数のサブバンドで送信される。ＭＩＭＯ−ＯＦＤＭシステムの場合、各変調記号は、空間ダイバーシティを達成するために複数のアンテナから送信されてもよい。一般的には、各変調記号は任意の数のサブバンド及び任意の数の送信アンテナで送信されてよい。さらに多いサブバンド、及び／又は送信アンテナは、効率の削減を犠牲にした受信機でのより大きな冗長性と、正しい受信の尤度の改善に相当する。
【０１１８】
ウォルシュダイバーシティ方式の場合、データストリームは、次に複数の送信アンテナから冗長に送信される変調記号のストリームを取得するために処理される。複数の送信アンテナから送信される信号の間で直交性を達成するために、変調記号は、複数の送信アンテナのそれぞれについて別の直交関数又は符号で時間拡散される。直交関数はウォルシュ関数、直交可変拡散因子（ＯＶＳＦ）符号等であってよい。
【０１１９】
空間−時間送信ダイバーシティ（ＳＴＴＤ）方式の場合、受信機で直交性を維持しながら、２つの独立した記号ストリームが２本の送信アンテナから同時に送信される。２つの記号ストリームは１つ又は２つのデータストリームからの変調記号を含んでよい。ＳＴＴＤ方式は以下のように動作する。ｓ１とｓ２として示される２個の変調記号が、別々のときに既定のサブバンド上で送信されなければならないと仮定する。送信機は２個のベクトル  
ｘ１＝［ｓ１  ｓ２＊］Ｔとｘ２＝［ｓ２  −ｓ１＊］Ｔを生成する。各ベクトルはそれぞれの送信アンテナから２つのＯＦＤＭ記号期間で順次送信されなければならない２個の要素を含む（つまり、ベクトルｘ１はアンテナ１から送信され、ベクトルｘ２はアンテナ２から送信される）。
【０１２０】
ウォルシュＳＴＴＤ方式は、前述されたウォルシュダイバーシティとＳＴＴＤの組み合わせを利用する。ウォルシュ−ＳＴＤＤ方式は２本以上の送信アンテナのシステムで使用されてよい。反復ウォルシュＳＴＴＤ方式の場合、２個の送信ベクトルｘ１＝［ｓ１  ｓ２＊］Ｔとｘ２＝［ｓ２−ｓ１＊］Ｔが、２本の送信アンテナから既定のサブバンド上で送信される変調記号の組ごとに生成される。また、これらの２個の送信ベクトルは、複数の送信アンテナ組全体で直交性を達成するため、及び追加の送信ダイバーシティを提供するために、ウォルシュ関数を使用して送信アンテナの複数の組全体で繰り返される。非反復ウォルシュ−ＳＴＴＤ方式の場合、一対の送信ベクトルｘ１＝［ｓ１  ｓ２＊］Ｔとｘ２＝［ｓ２−ｓ１＊］Ｔの組が２本の送信アンテナから既定のサブバンドで送信されなければならない変調記号の組ごとに生成される。送信ベクトルの複数の組は、送信アンテナの複数の組について生成されてよい（例えばｘ１とｘ２は、１組の送信アンテナの組について送信されてよく、
ｘ３＝［ｓ３  ｓ４＊］Ｔとｘ４＝［ｓ４−ｓ３＊］Ｔが別の送信アンテナ組のために生成されてよい）。送信ベクトルの各組は、複数の送信アンテナ組全体で直交性を達成するために別のウォルシュ関数で処理される。
【０１２１】
周波数ダイバーシティ方式、ウォルシュダイバーシティ方式、ＳＴＴＤ方式、及びウォルシュ−ＳＴＤＤシステム、及びこれらのダイバーシティ方式のための送信機と受信機での処理は、２００２年６月２４日に出願され、本願の譲受人に譲渡された「ＭＩＭＯ  ＯＦＤＭ通信システムのためのダイバーシティ伝送モード（Diversity Transmission Modes for MIMO OFDM Communication System）」と題される米国特許出願第１０／１７９，４３９号に詳しく説明されている。ダイバーシティ伝送方式は、（１）オーバヘッド通信路（例えば、放送、ページング及び他の共通した通信路）のためにさらに高い信頼性を達成するために、（２）通信リンクのための情報がさらにスペクトル効率的な伝送方式を使用するために入手可能ではないときに必ず、（３）通信路状態が十分によくなく、さらにスペクトル効率的な伝送方式をサポートできないとき（例えば特定の移動性条件下で）、及び（４）他の状況のためになどの多様なシナリオのために使用されてよい。
【０１２２】
１つ以上のデータストリームは既定のダイバーシティ方式を使用して同時に送信されてよい。データストリームごとに、そのデータストリームを送信するために使用される各サブバンドの受信ＳＮＲが計算されてよい。各データストリームに使用される複数のサブバンドのための受信ＳＮＲはそのデータストリームに伝送モードを選択するために使用されてよい。
【０１２３】
Ｆ．マルチチャネル伝送方式
マルチチャネル伝送（ＭＣＴ）方式の場合、１個又は複数のデータストリームは、１つ以上の対応する変調記号ストリームを提供するために送信機で個別に処理される。各変調記号ストリームは、次に伝送チャネルのそれぞれのグループで送信されてよい。各伝送チャネルグループは以下を含んでよい。
【０１２４】
１．単一送信アンテナ又は空間通信路の複数のサブバンド
２．複数の送信アンテナ又は空間通信路の単一のサブバンド
３．複数の送信アンテナ又は空間通信路の複数のサブバンド
４．伝送チャネルの任意の組み合わせ、又は
５．すべての伝送チャネル
それぞれの個別に処理されたデータストリームのための伝送モードは、改善された性能（例えば高スループット）が達成されるように個別に選択されてよい。
【０１２５】
他の処理方式も実現されてよく、これは本発明の範囲内である。いくつかの例として、１個のデータストリームは（１）全広帯域固有モードの全サブバンド、（２）各サブバンドであるが、すべての送信アンテナから、及び（３）サブバンドの割り当てられた集合での各送信アンテナ又は全送信アンテナで送信されてよい。
【０１２６】
６．システム
図７は、ＭＩＭＯ−ＯＦＤＭシステムの基地局７１０と端末７５０の実施形態のブロック図を示す。基地局７１０は送信機１１０のために使用されてよく、端末７５０は図１の受信機１５０のために使用されてよい。簡単にするために、図７は基地局から端末にダウンリンク（つまり下りリンク）までのデータ伝送だけを示す。
【０１２７】
基地局７１０では、トラヒックデータはデータソース７１２からＴＸデータプロセッサ７２０に提供される。ＴＸデータプロセッサ７２０は、ＮＤ≧１の場合に、トラヒックデータをＮＤ個のデータストリームに逆多重化し、対応する変調記号ストリームを提供するために各データストリームをさらにフォーマットし、符号化し、インタリーブし、変調する。データストリームごとのデータレート、符号化、及び変調は、それぞれコントローラ７４０によって提供されるデータレート制御、符号化制御及び変調制御によって決定されてよい。ＴＸデータプロセッサ７２０は、ＴＸ空間プロセッサ７２８にＮＤ個の変調記号ストリームを提供する。
【０１２８】
ＴＸ空間プロセッサ７２８は、ＮＴ個の送信記号ストリームを提供するために、選択された伝送方式（例えば、ＡＡＴ、ＰＡＴ又はＰＥＴ）に従ってＮＤ個の変調記号ストリームを処理する。ＴＸ空間プロセッサ７２８もパイロット記号を受信し、送信記号で多重化してよい。ＴＸ空間プロセッサ７２８はＮＴ個の送信機装置（ＴＭＴＲ）７３０ａから７３０ｔにＮＴ個の送信記号ストリームを提供する。
【０１２９】
各送信機装置７３０は、その送信記号ストリームでＯＦＤＭ処理を実行して対応するＯＦＤＭ記号ストリームを提供し、このストリームはさらに処理されて無線通信リンクでの伝送に適した変調済み信号を生成する。送信機装置７３０ａから７３９ｔのＮＴ個の変調済み信号は次にそれぞれＮＴ本のアンテナ７３２ａから７３２ｔを介して送信される。
【０１３０】
端末７５０では、送信済み信号はＮＲ本のアンテナ７５２ａから７５２ｒのそれぞれで受信され、各アンテナからの受信信号は関連付けられた受信機装置（ＲＣＶＲ）７５４に提供される。各受信機７５４は、受信記号の対応するストリームを提供するためにさらに処理されるサンプルのストリームを提供するためにその受信信号を調整し、ディジタル化する。受信機装置７５４ａから７５４ｒのＮＲ個の受信シンボルストリームは、次にＲＸ空間プロセッサ７６２とＲＸデータプロセッサ７６４を含む受信機プロセッサ７６０に提供される。
【０１３１】
ＲＸ空間プロセッサ７６２は、基地局７１０によって送信されるＮＤ個の変調記号ストリームの推定値であるＮＤ個の回収信号ストリームを提供するために選択された伝送方式に従ってＮＲ個の受信記号ストリームを処理する。ＲＸデータプロセッサ７６４は、次に、基地局７１０によって送信されるデータストリームの推定値である、対応する復号データストリームを提供するためにそれぞれの回収記号ストリームを復号する。ＲＸ空間プロセッサ７６２とＲＸデータプロセッサ７６４による処理は、それぞれ基地局７１０でのＴＸ空間プロセッサ７２８とＴＸデータプロセッサ７２０によって実行される処理に相補的である。
【０１３２】
図７に示されるように、ＲＸ空間プロセッサ７６２は（通信路応答及び雑音分散などの）特定の通信路特性の推定値を導出し、前記通信路推定値をコントローラ７７０に提供してよい。ＲＸデータプロセッサ７６４は各受信データパケットのステータスも提供してよい。ＲＸ空間プロセッサ７６２とＲＸデータプロセッサ７６４から受信される多様な種類の情報に基づいて、コントローラ７７０は、前述された技法を使用してそれぞれの個別に処理されたデータストリームに適した伝送モードを決定する。コントローラ７７０は、データストリーム、通信路応答推定値、受信データパケットのためのＡＣＫ及び／又はＮＡＫ等、あるいはその任意の組み合わせのために選択された伝送モードの集合を含んでよいフィードバック情報も提供する。フィードバック情報は、ＴＸデータプロセッサ７７８とＴＸ空間プロセッサ７８０によって処理され、送信機装置７５４ａから７５４ｒによって調整され、アンテナ７５２ａから７５２ｒから基地局７１０に送り返される。
【０１３３】
基地局７１０では、端末７５０からの送信済み信号が、端末７５０によって送信されたフィードバック情報を回収するために、アンテナ７３２ａから７３２ｔによって受信され、受信機装置７３０ａから７３０ｔによって調整され、ＲＸ空間プロセッサ７３４とＲＸデータプロセッサ７３６によって処理される。フィードバック情報は、次にコントローラ７４０に提供され、端末７５０に送信されるＮＤ個のデータストリームの処理を制御するために使用される。例えば、各データストリームのデータレートは端末７５０によって提供される選択された伝送モードに基づいて決定されてよい。各選択された伝送モードのための符号化方式と変調方式もコントローラ７４０によって決定され、ＴＸデータプロセッサ７２０とＴＸ空間プロセッサ７２８に提供される符号化制御と変調制御によって示される。受信されたＡＣＫ／ＮＡＫは、端末によって間違って受信された各データパケットの完全再送又は増分伝送のどちらかを開始するために使用されてよい。増分再送の場合、間違って受信されたデータパケットの小さな部分が、端末がパケットを回収できるようにするために送信される。
【０１３４】
コントローラ７４０と７７０は、それぞれ基地局７１０と端末７５０での動作を命令する。メモリ装置７４２と７７２は、それぞれコントローラ７４０と７７０によって使用されるプログラムコードとデータのための記憶領域となる。
【０１３５】
図８Ａは、図７の基地局７１０の送信機部分の実施形態である送信機サブシステム８００のブロック図を示す。送信機サブシステム８００は、図７のＴＸデータプロセッサ７２０の実施形態であるＴＸデータプロセッサ７２０ｘを含む。
【０１３６】
図８Ａに図示される実施形態の場合、ＴＸデータプロセッサ７２０ｘはデマルチプレクサ（Ｄｅｍｕｘ）８１０、ＮＤ個のエンコーダ８１２ａから８１２ｓ、ＮＤ個の通信路インタリーバ８１４ａから８１４ｓ、及びＮＤ個の記号マッピング装置８１６ａから８１６ｓ（つまり、データストリームごとにエンコーダ、通信路インタリーバ、及び記号マッピング装置の１つのセット）を含む。デマルチプレクサ８１０はトラヒックデータ（つまり情報ビット）をＮＤ個のデータストリームに逆多重化する。ＮＤ個のデータストリームのそれぞれは、データレートコントロールによって示されるように、そのデータストリームのために使用される伝送チャネルのグループによってサポートされる、決定されたデータレートで提供される。各データストリームはそれぞれのエンコーダ８１２に提供される。
【０１３７】
各エンコーダ８１２は、符号ビットを提供するために（符号化制御により示されるように）選択された符号化方式に基づいてそれぞれのデータストリームを符号化する。各データストリームは１つ以上のデータパケットを搬送してよく、各データパケットは通常符号化されたデータパケットを取得するために別々に符号化される。符号化はデータ伝送の信頼性を高める。選択された符号化方式は巡回冗長検査（ＣＲＣ）符号化、畳込み符号化、ターボ符号化、ブロック符号化等の任意の組み合わせを含んでよい。各エンコーダ８１２からの符号ビットは次に、特定のインタリーブ方式に基づいて符号ビットをインタリーブするそれぞれの通信路インタリーバ８１４に提供される。インタリーブが伝送モードに依存している場合には、コントローラ７４０は通信路インタリーバ８１４に（破線で示されるように）インタリーブ制御を提供する。インタリーブは符号ビットのための時間ダイバーシティ、周波数ダイバーシティ、及び／又は空間ダイバーシティを提供する。各通信路インタリーバ８１４からのインタリーブされたビットは、次に変調記号を取得するために（変調制御によって示されるように）選択された変調方式に基づいてインタリーブされたビットをマッピングする、それぞれの記号マッピング装置８１６に提供される。装置８１６は、Ｂ≧１の場合にＢ−ビットのバイナリ値を形成するためにＢ個のインタリーブされたビットの各集合をグループ化し、選択された変調方式（例えば、Ｍ＝２Ｂの場合にＱＰＳＫ、Ｍ−ＰＳＫ又はＭ−ＱＡＭなどの）に基づいて各Ｂ−ビット値を特殊な変調記号にさらにマッピングする。各変調希望は選択された変調方式により定義される信号点配置の複素数値である。記号マッピング装置８１６ａから８１６ｓは、ＮＤ個の変調記号ストリームを提供する。
【０１３８】
各データストリームは伝送チャネルのそれぞれのグループで送信され、各伝送チャネルグループはサブバンドとアンテナ／空間通信路の任意の数及び組み合わせを含んでよい。ＴＸ空間プロセッサ７２８は、もしあれば選択された伝送方式のための必須空間処理を実行する。
【０１３９】
全アンテナ伝送方式の場合、１個のデータストリームは全送信アンテナの全サブバンドで送信される。エンコーダ８１２、通信路インタリーバ８１４、及び記号マッピング装置８１６のただ１つのセットだけが単一データストリームを処理するために必要とされる。それから、ＴＸ空間プロセッサ７２８は、単に変調記号をＮＴ本の送信アンテナのためにＮＴ個の送信記号ストリームに逆多重化する。空間処理はＡＡＴ方式のために実行されないので、各送信記号は変調記号である。
【０１４０】
アンテナ単位の伝送方式の場合、１個のデータストリームは各送信アンテナの全サブバンドで送信される。エンコーダ８１２、通信路インタリーバ８１４、及び記号マッピング装置８１６のＮＴ個のセットが、ＮＴ個の変調記号ストリームを提供するためにＮＴ個のデータストリーム（ＮＤ＝ＮＴの場合）を処理するために使用されてよい。ＴＸ空間プロセッサ７２８は、次に各変調記号ストリームを送信記号ストリームとして渡すだけである。やはり、空間処理はＰＡＴ方式のために実行されないため、各送信記号は変調記号である。
【０１４１】
固有単位のモード伝送方式の場合、１個のデータストリームは各広帯域固有モードの全サブバンドで送信される。エンコーダ８１２、通信路インタリーバ８１４、及び記号マッピング装置８１６のＮＴ個の集合がＮＴ個の変調記号ストリームを提供するためにＮＴ個のデータストリーム（ＮＤ＝ＮＴの場合）を処理するために使用されてよい。ＴＸ空間プロセッサ７２８は、次にＮＴ個の送信記号ストリームを提供するために、式（１６）で示されるようにＮＴ個の変調記号ストリームに対して空間処理を実行する。
【０１４２】
ＭＣＰ方式の場合、各データストリームは伝送チャネルのそれぞれのグループで送信される。ＴＸ空間プロセッサ７１８はそのデータストリームに使用される伝送チャネルのグループのための送信記号を取得するために変調記号の適切な逆多重化及び／又は空間処理を実行する。
【０１４３】
ＴＸ空間プロセッサ７２８は、さらに、例えば時分割多元（ＴＤＭ）又は符号分割多元（ＣＤＭ）を使用して、パイロット記号を受信し、送信記号で多重化してよい。パイロット記号はトラヒックデータを送信するために使用される伝送チャネルのすべて又は部分集合で送信されてよい。ＴＸ空間プロセッサ７２８はＮＴ個の送信記号ストリームをＮＴ台の送信装置７３０ａから７３０ｔに提供する。
【０１４４】
図８Ｂは、図７と図８Ａの送信機装置７３０ａから７３０ｔのそれぞれに使用されてよい送信機装置７３０ｊの実施形態を示す。送信機装置７３０ｊは逆高速フーリエ変換（ＩＦＦＴ）装置８３２、周期語頭生成機(cyclic prefix generator)８３４、及びＴＸ  ＲＦ装置８３６を含む。ＩＦＦＴ装置８３２及び周期語頭生成機８３４はＯＦＤＭ変調器を形成する。
【０１４５】
送信機装置７３０ｊは送信記号ストリームｘｊを受信し、ＮＦ個のサブバンド上での伝送のために指定されるＮＦ個の送信記号の各集合をグループ化する。ＩＦＦＴ装置８３２は、次に、ＮＦ個のサンプルを含む対応する変換済み記号を取得するために、ＮＦ点逆高速フーリエ変換を使用してＮＦ個の送信記号の各集合を時間領域に変換する。周期語頭生成機８３４は、次にＮＦ＋Ｎｃｐ個のサンプルを含む対応するＯＦＤＭ記号を取得するためにそれぞれの変換済み記号の一部を繰り返す。繰り返される部分は周期語頭と呼ばれ、Ｎｃｐは繰り返されているサンプルの数（つまり周期語頭長）を示す。周期語頭は、ＯＦＤＭ記号が周波数選択フェージングにより引き起こされるマルチパス遅延拡散の存在下でその直交特性を保持することを確実にする。周期語頭生成機８３４は、変調済み信号を発生するためにＴＸ  ＲＦ装置８３６によってさらに処理される（例えば、１つ以上アナログ信号に変換され、増幅され、濾波され、周波数アップコンバートされる）ＯＦＤＭ記号のストリームを提供する。
【０１４６】
ＯＦＤＭを使用する、及びＯＦＤＭを使用しないＭＩＭＯシステムのための符号化、変調及び空間処理は以下の米国特許出願にさらに詳しく説明されている。
【０１４７】
・前述された米国特許出願第０９／９９３，０８７号
・２００１年５月１１日に出願された「通信路状態情報を活用して多入力多出力（ＭＩＭＯ）通信システムにおいてデータを処理するための方法及び装置（Method and Apparatus for Processing Data in a Multiple-Input Multiple-Output(MIMO)Communication System Utilizing Channel State Information）」と題される米国特許出願第０９／８５４，２３５号
・２００１年３月２３日、及び２００１年９月１８日にそれぞれ出願された、ともに「無線通信システムにおいて通信路状態情報を活用するための方法及び装置（Method and Apparatus for Utilizing Channel State Information in a Wireless Communication System）」と題される米国特許出願第０９／８２６，４８１号及び第０９／９５６，４４９号
・２００１年２月１日に出願された「無線通信システムのための符号化方式（Coding Scheme for a Wirelss Communication System）」と題される米国特許出願第０９／７７６，０７５号
・２０００年３月３０日に出願された「マルチキャリヤ変調を利用する高効率、高性能通信システム（High Efficiency, High Performance Communications System Employing Multi-Carrier Modulation）」と題される米国特許出願第０９／５３２，４９２号、及び
・前述された米国特許仮出願第６０／４２１，３０９号
これらの特許出願はすべて本発明の譲受人に譲渡される。送信機サブシステム８００の他の設計も実現されてよく、本発明の範囲内である。
【０１４８】
図９Ａは、図７の端末７５０の受信機部分の実施形態である受信機サブシステム９００ｘのブロック図を示す。基地局７１０から送信された信号はアンテナ７５２ａから７５２ｒによって受信され、各アンテナから受信された信号はそれぞれの受信機装置７５４に提供される。
【０１４９】
図９Ｂは、図７と図９Ａの受信機装置７５４ａから７５４ｒのそれぞれに使用されてよい受信機装置７５４ｉの実施形態を示す。受信された信号は、サンプルのストリームを提供するためにＲＸ  ＲＦ装置によって調整され（例えば、増幅され、濾波され、周波数ダウンコンバートされ）、ディジタル化される。周期語頭削除装置９１４が、次に対応する受信された変換済み記号を提供するためのそれぞれの受信されたＯＦＤＭ記号の中の周期語頭を削除する。高速フーリエ変換（ＦＦＴ）装置９１６は、次に、ＮＦ個のサブバンドのためのＮＦ個の受信信号の集合を取得するために高速フーリエ変換を使用してそれぞれの受信された変換済み記号を周波数領域に変換する。受信された記号は基地局により送信された送信記号の推定値である。ＦＦ装置９１６は、受信機装置７５４ｉによって処理されている受信された信号に受信済み記号ストリームｙｉを与える。
【０１５０】
図９Ａを参照し直すと、受信機装置７５４ａから７５４ｒはプロセッサ７６２ｘにＮＲ個の受信記号ストリームを提供する。プロセッサ７６２ｘの中では、ＲＸ空間プロセッサ９２０が、ＮＤ個の変調記号ストリームの推定値であるＮＤ個の回収された記号ストリームを提供するためにＮＲ個の受信された記号ストリームに対して空間処理又は空間−時間処理を実行する。ＲＸ空間プロセッサ９２０は、米国特許出願第０９／９９３，０８７号、第０９／８５４，２３５号、第０９／８２６，４８１号、及び第０９／９５６，４４号に説明される、線形ＺＦ等化器、通信路相関行列逆転（ＣＣＭＩ）等化器、最小２乗平均誤差（ＭＭＳＥ）等化器、ＭＭＳＥ線形等化器（ＭＭＳＥ−ＬＥ）、判定帰還形等化器（ＤＦＥ）又はなんらかの他の等化器を実現してよい。
【０１５１】
ＲＸデータプロセッサ７６４ｘはＲＸ空間プロセッサ９２０からＮＤ個の回収された記号ストリームを受信する。それぞれの回収された記号ストリームは、コントローラ７７０によって提供される復調制御によって示されるように、そのストリームのために使用される変調方式に相補的である復調方式に従って回収された記号を復調するそれぞれの記号デマッピング装置９３２に提供される。各記号デマッピング装置９３２から復調されたデータストリームは次に、そのデータストリームのために基地局で実行される方法に相補的な方法で関連付けられた通信路デインタリーバ９３４によってデインタリーブされる。インタリーブが伝送モードに依存している場合は、コントローラ７７０は、破線で示されるように通信路デインタリーバ９３４にデインタリーブ制御を提供する。各通信路デインタリーバ９３４からのデインタリーブされたデータは、コントローラ７７０によって提供される復号制御によって示されるように、基地局７１０で実行される方法に相補的な方法で関連付けられたデコーダ９３６によってさらに復号される。例えば、ターボ符号化又は畳込み符号化がそれぞれ基地局で実行される場合に、ターボデコーダまたビタビデコーダがデコーダ９３６のために使用されてよい。各デコーダ９３６からの復号されたデータストリームは送信されたデータストリームの推定値を表す。デコーダ９３６は（例えば、パケットが正しく受信されたか、あるいは間違って受信されたかを示す）それぞれの受信されたデータパケットのステータスも提供してよい。デコーダ９３６は、さらに、間違って復号されたパケットのために復調されたデータを記憶してよく、その結果このデータは以後の増分伝送からのデータと結合され、復号されてよい。
【０１５２】
図９Ａに示される実施形態では、通信路推定器９２２が（例えば、受信されたパイロット記号に基づいて）通信路応答及び雑音分散を推定し、コントローラ７７０に通信路推定値を提供する。コントローラ７７０は図２の伝送モードセレクタ１６６を実現し、伝送モード選択に関連する多様な機能を実行し、通信路推定値基づいてデータストリームごとに適切な伝送モードを決定する。メモリ装置７７２は、サポートされている伝送モード及びそれらの必須ＳＮＲのためのルックアップテーブル７７４を記憶してよい。
【０１５３】
図１０は、図７の端末７５０の受信機部分の別の実施形態である受信機サブシステム９００ｙのブロック図を示す。受信機サブシステム９００ｙはＳＩＣ処理を実行し、図７の受信機プロセッサ７６０の実施形態である受信機プロセッサ７６０ｙを含む。簡単にするために、受信機プロセッサ７６０ｙのための以下の説明はアンテナ単位伝送方式の場合である。
【０１５４】
図１０に図示される実施形態の場合、受信機プロセッサ７６０ｙは、回収される変調記号ストリームごとに１段、多くの連続する（つまり縦続接続された）受信機処理段１０１０ａから１０１０ｔを含む。（最後の段１０１０ｔを除く）各受信機処理段１０１０は、空間プロセッサ１０２０ｔ、ＲＸデータプロセッサ１０３０、干渉キャンセラ１０４０を含む。最後の段１０１０ｔは、空間プロセッサ１０２０ｔとＲＸデータプロセッサ１０３０ｔだけを含む。各ＲＸデータプロセッサ１０３０は、図９Ａに示されるように記号デマッピング装置、通信路デインタリーバ、及びデコーダを含む。
【０１５５】
第１段１０１０ａの場合、空間プロセッサ１０２０ａは、ＮＴ個の回収された記号ストリームｘ＾１を提供するために受信機装置７５４ａ−７５４ｒからＮＲ個の受信された記号ストリームｙ１を受信し、処理する。空間プロセッサ１０２０は線形ＺＦ等化器、ＣＣＭＩ等化器、ＭＭＳＥ等化器、ＭＭＳＥ−ＬＥ又はＤＦＥなどの空間等化器又は空間時間等化器を実現してよい。例えば、空間プロセッサ１０２０ａは式（１３）に示されるように実行された空間処理をしてよい。１つの回収された記号ストリームは、復号のために選択され、空間プロセッサ１０２０ａは選択された回収済み記号ストリームｘ１＾をＲＸデータプロセッサ１０３０ａに与える。プロセッサ１０３０ａは、対応する復号されたデータストリームｄ１＾を提供するために、選択された回収済み記号ストリームｘ１＾をさらに処理する（例えば、復調し、デインタリーブし、復号する）。空間プロセッサ１０２０ａは、さらに段ごとに空間処理又は空間−時間処理を実行するために使用される通信路応答Ｈ（ｋ）の推定値を提供してよい。
【０１５６】
第１段１０１０ａの場合、干渉キャンセラ１０４０ａはＮＲ個の受信された記号ストリームｙ１を与えられる。干渉キャンセラ１０４０ａは、いま復号されたばかりの回収済み信号ストリームｘ１の推定値である、再復調された記号ストリームＡ（なお、Ａは次のように表記されている。）                                                                
【数１８】
2006521068.tif 000021
【０１５７】
を提供するために、ＲＸデータプロセッサ１０３０ａから復号されたデータストリームｄ１＾も受信し、処理する（例えば、符号化し、インタリーブし、復調する）。前記再復調された記号ストリームＡは、この回収された記号ストリームｘ１＾のための干渉成分ｉ１の推定値を導出するために時間領域又は周波数領域でさらに処理される。干渉成分ｉ１は、次に、解除された干渉成分以外のすべてを含む、ＮＲ個の修正された記号ストリームｙ２を取得するために、第１段の受信記号ストリームｙ１から差し引かれる。それからＮＲ個の修正された記号ストリームｙ２が次の段に提供される。
【０１５８】
それぞれの以後の段λの場合、第２段１０１０ｂから最後の段１０１０ｔまで、その段のための空間プロセッサ１０２０が、その段のための回収された記号ストリームｘ１＾を提供するために先行する段の中で干渉キャンセラ１０４０からＮＲ個の修正済み記号ストリームｙλを受信し、処理する。各段λの場合、１つの回復された記号ストリームｘλ＾が、対応する復号されたデータストリームｄλ＾を提供するために、ＲＸデータプロセッサ１０３０によって選択され、復号される。各段λの場合、第２段から最後から２番目の段まで、その段の干渉キャンセラは先行する段の干渉キャンセラからＮＲ個の修正された記号ストリームｙλを、及び同じ段の中のＲＸデータプロセッサから復号されたデータストリームｄλ＾を受け取り、その段で復号される回収された記号ストリームのためのＮＲ個の干渉成分ｉλを導出し、修正された記号ストリームｙλから干渉成分ｉλを差し引き、次の段にＮＲ個の修正された記号ストリームｙλ＋１を与える。
【０１５９】
ＳＩＣ受信機処理技法は、前述された米国特許出願第０９／９９３，０８７号と第０９／８５４，２３５号にさらに詳しく説明されている。
【０１６０】
明確にするために、伝送モード選択技法は、いくつかの特殊なマルチチャネル通信システム（例えば、全アンテナ伝送方式、アンテナ単位伝送方式及び固有モード単位伝送方式によるＯＦＤＭシステム及びＭＩＭＯ−ＯＦＤＭシステム）について前述されてきた。受信されたＳＮＲの計算は様々なタイプの通信システムについて異なってよく、様々な受信機処理技法について異なってよい。明確にするために、受信ＳＮＲを計算する例示的な方法が前述された。受信ＳＮＲを計算するためには当技術分野で既知の他の方法も使用されてよく、これは本発明の範囲内である。
【０１６１】
図７から図１０は、受信機がそれによってデータストリームに選択された伝送モードを送り返す例示的な設計を示す。他の設計も実現されてよく、本発明の範囲内である。例えば、通信路推定値は、これらの通信路推定値に基づいてデータストリームの伝送モードを決定してよい送信機に（伝送モードの代わりに）送信されてよい。
【０１６２】
簡単にするために、図７から図１０は、ダウンリンクでのデータ伝送のための伝送モード選択を示す。アップリンクでのデータ伝送のための伝送モード選択は、同様に実行されてよい。例えば、送信機サブシステム８００は端末７５０のために使用されてよく、受信機サブシステム９００ｘと９００ｙが基地局７１０のために使用されてよい。
【０１６３】
ここに説明されている伝送モード選択技法は、多様な手段で実現されてよい。例えば、これらの技法はハードウェア、ソフトウェア又はその組み合わせで実現されてよい。ハードウェアインプリメンテーションの場合、伝送モード選択に使用される装置は１つ以上の特定用途向け集積回路（ＡＳＩＣ）、ディジタル信号プロセッサ（ＤＳＰ）、ディジタル信号処理装置（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、ここに説明されている機能を実行するように設計された他の電子装置、あるいはその組み合わせの中で実現されてよい。
【０１６４】
ソフトウェアインプリメーションの場合、伝送モード選択は、ここに説明されている機能を実行するモジュール（例えば、プロシジャ、関数等）で実現されてよい。ソフトウェアコードはメモリ装置（例えば、図７のメモリ装置７４２又は７２２）に記憶され、プロセッサ（例えば、コントローラ７４０又は７７０）で実行されてよい。メモリ装置はプロセッサ内部で実現されてよい、あるいはプロセッサ外部で実現されてよく、その場合、それは当技術分野で既知であるような多様な手段を通してプロセッサに通信で結合できる。
【０１６５】
開示された実施形態の前記説明は、当業者が本発明を製造又は使用できるようにするために提供される。これらの実施形態に対する多様な変型は当業者に容易に明らかとなり、ここに定義される一般的な原則は本発明の精神又は範囲を逸脱することなく他の実施形態に適用されてよい。したがって、本発明はここに示されている実施形態に限定されることを目的とするのではなく、ここに開示されている原則及び新規特徴と一貫した最も幅広い範囲を与えられるべきである。
【図面の簡単な説明】
【０１６６】
【図１】マルチチャネル通信システムにおける送信機及び受信機を示す図である。
【図２】伝送モードセレクタを示す図である。
【図３】様々なＳＮＲの伝送チャネルのグループで送信されるデータストリームのための伝送モードを決定するためのプロセスを示す図である。
【図４】周波数選択フェージングを用いるＯＦＤＭシステムのＳＮＲを示す図である。
【図５Ａ】ＭＩＭＯ−ＯＦＤＭシステムにおけるＮＴ本の送信アンテナのＳＮＲを示す図である。
【図５Ｂ】ＭＩＭＯ−ＯＦＤＭシステムにおけるＮＴ本の送信アンテナのＳＮＲを示す図である。
【図６】ＮＴ本の送信アンテナの平均ＳＮＲを示す図である。
【図７】ＭＩＭＯ−ＯＦＤＭシステムにおける基地局及び端末を示す図である。
【図８Ａ】送信機サブシステム及び送信機サブシステム内の送信機装置をそれぞれ示す図である。
【図８Ｂ】送信機サブシステム及び送信機サブシステム内の送信機装置をそれぞれ示す図である。
【図９Ａ】受信機サブシステム及び受信機サブシステム内の受信機装置をそれぞれ示す図である。
【図９Ｂ】受信機サブシステム及び受信機サブシステム内の受信機装置をそれぞれ示す図である。
【図１０】連続干渉解除受信機処理を実行する受信機サブシステムを示す図である。
【符号の説明】
【０１６７】
１００…マルチチャネル通信システム、１１０…送信機、１１２…データソース、１１４…ＴＸデータプロセッサ、１１６…送信機装置（ＴＭＴＲ）、１３０，１７０…コントローラ、１５０…受信機、１６０…受信機装置（ＲＣＶＲ）、１６２…受信（ＲＸ）データプロセッサ、１６４…通信路推定器、１６６…伝送モードセレクタ、２１０…ＳＮＲ統計計算装置、２１４…ルックアップテーブル、７１０…基地局、７１２…データソース、７２０…ＴＸデータプロセッサ、７２８…ＴＸ空間プロセッサ、７３０…送信機装置（ＴＭＴＲ）、７３２，７５２…アンテナ、７４２，７７０…コントローラ、７４２，７７２…メモリ装置、７５０…端末、７５４…受信機装置（ＲＣＶＲ）、７６０…受信機プロセッサ、７６２…ＲＸ空間プロセッサ、７６４…ＲＸデータプロセッサ、８００…送信機サブシステム、８１０…デマルチプレクサ（Ｄｅｍｕｘ）、８１２…エンコーダ、８１４…通信路インタリーバ、８１６…記号マッピング装置、８３２…逆高速フーリエ変換（ＩＦＦＴ）装置、８３４…周期語頭生成機、８３６…ＴＸ  ＲＦ装置、９００，９００ｙ…受信機サブシステム、９１４…周期語頭削除装置、９１６…高速フーリエ変換（ＦＦＴ）装置、９２０…ＲＸ空間プロセッサ、９２２…通信路推定器、９３２…記号デマッピング装置、９３４…通信路デインタリーバ、９３６…デコーダ、１０１０…受信機処理段、１０２０…空間プロセッサ、１０３０…ＲＸデータプロセッサ、１０４０…干渉キャンセラ
【図１】
2006521068.tif 000022
【図２】
2006521068.tif 000023
【図３】
2006521068.tif 000024
【図４】
2006521068.tif 000025
【図５Ａ】
2006521068.tif 000026
【図５Ｂ】
2006521068.tif 000027
【図６】
2006521068.tif 000028
【図７】
2006521068.tif 000029
【図８Ａ】
2006521068.tif 000030
【図８Ｂ】
2006521068.tif 000031
【図９Ａ】
2006521068.tif 000032
【図９Ｂ】
2006521068.tif 000033
【図１０】
2006521068.tif 000034
【国際調査報告】
2006521068.tif 000035
2006521068.tif 000036
2006521068.tif 000037